(57)【特許請求の範囲】
【請求項１】
少なくとも１垂直期間前の画像データと現垂直期間の画像データとに基づいて、液晶表示パネルへ供給する画像データを強調変換することにより、前記液晶表示パネルの光学応答特性を補償する液晶表示装置であって、
入力画像データがプログレッシブ信号であるかインターレース信号であるかの信号種別を検出する信号種別検出手段と、
前記入力画像データがインターレース信号である場合、該インターレース信号をプログレッシブ信号の画像データに変換するＩ／Ｐ変換手段と、
前記液晶表示パネルが所定期間内において前記画像データの定める透過率となるように、前記画像データの強調変換を行う強調変換手段とを備え、
前記信号種別検出手段による検出結果に応じて、前記強調変換手段における前記画像データに対する強調変換度合いを可変制御することを特徴とする液晶表示装置。
【請求項２】
現垂直期間の画像データと１垂直期間前の画像データとから指定される強調変換パラメータが格納されたテーブルメモリを備え、
前記強調変換手段は、
前記強調変換パラメータを用いて、前記画像データに強調演算を施す演算部と、
前記演算部の出力データに対し、前記信号種別検出手段による検出結果に応じて、異なる係数を乗算する乗算部とを有することを特徴とする請求項１に記載の液晶表示装置。
【請求項３】
前記乗算部における係数は、前記入力画像データがインターレース信号である場合、前記入力画像データがプログレッシブ信号である場合に比べて小さくなるように設定されていることを特徴とする請求項２に記載の液晶表示装置。
【請求項４】
前記入力画像データがプログレッシブ信号である場合に参照する、現垂直期間の画像データと１垂直期間前の画像データとから指定される強調変換パラメータが格納されたテーブルメモリと、
前記入力画像データがインターレース信号である場合に参照する、現垂直期間の画像データと１垂直期間前の画像データとから指定される強調変換パラメータが格納されたテーブルメモリとを備え、
前記強調変換手段は、前記信号種別検出手段による検出結果に応じて、前記テーブルメモリから読み出される前記強調変換パラメータを用いて、前記画像データに強調演算を施す演算部を有することを特徴とする請求項１に記載の液晶表示装置。
【請求項５】
前記強調変換パラメータは、前記入力画像データがプログレッシブ信号である場合に読み出されるものに比べて、前記入力画像データがインターレース信号である場合に読み出されるものが小さい値であることを特徴とする請求項４に記載の液晶表示装置。
【請求項６】
さらに、装置内温度を検出する温度検出手段を備え、
前記強調変換手段は、前記温度検出手段による検出結果に基づき、前記画像データに対する強調変換度合いを可変することを特徴とする請求項１に記載の液晶表示装置。
【請求項７】
現垂直期間の画像データと１垂直期間前の画像データとから指定される強調変換パラメータが格納されたテーブルメモリを備え、
前記強調変換手段は、
前記強調変換パラメータを用いて、前記画像データに強調演算を施す演算部と、
前記演算部の出力データに対し、前記信号種別検出手段による検出結果と前記温度検出手段の検出結果とに応じて、異なる係数を乗算する乗算部とを有することを特徴とする請求項６に記載の液晶表示装置。
【請求項８】
前記入力画像データがプログレッシブ信号である場合に参照する、現垂直期間の画像データと１垂直期間前の画像データとから指定される強調変換パラメータが格納されたテーブルメモリと、
前記入力画像データがインターレース信号である場合に参照する、現垂直期間の画像データと１垂直期間前の画像データとから指定される強調変換パラメータが格納されたテーブルメモリとを備え、
前記強調変換手段は、
前記信号種別検出手段による検出結果に応じて、前記テーブルメモリから読み出される前記強調変換パラメータを用いて、前記画像データに強調演算を施す演算部と、
前記演算部の出力データに対し、前記温度検出手段の検出結果に応じて異なる係数を乗算する乗算部とを有することを特徴とする請求項６に記載の液晶表示装置。
【請求項９】
前記入力画像データがプログレッシブ信号である場合に参照する、複数の装置内温度毎に対応して、現垂直期間の画像データと１垂直期間前の画像データとから指定される強調変換パラメータが格納されたテーブルメモリと、
前記入力画像データがインターレース信号である場合に参照する、複数の装置内温度毎に対応して、現垂直期間の画像データと１垂直期間前の画像データとから指定される強調変換パラメータが格納されたテーブルメモリとを備え、
前記強調変換手段は、前記信号種別検出手段による検出結果と前記温度検出手段の検出結果とに応じて、前記テーブルメモリから読み出される前記強調変換パラメータを用いて、前記画像データに強調演算を施す演算部を有することを特徴とする請求項６に記載の液晶表示装置。
【請求項１０】
複数の装置内温度毎に対応して、現垂直期間の画像データと１垂直期間前の画像データとから指定される強調変換パラメータが格納されたテーブルメモリを備え、
前記強調変換手段は、前記信号種別検出手段による検出結果によって定められた切換温度と前記温度検出手段の検出結果との比較結果に応じて、前記テーブルメモリから読み出される前記強調変換パラメータを用いて、前記画像データに強調演算を施す演算部を有することを特徴とする請求項６に記載の液晶表示装置。
【請求項１１】
前記強調変換パラメータの切り換え選択を制御する制御手段を備え、
前記制御手段は、
前記温度検出手段により検出された温度データに対して、前記入力画像データの信号種別毎に定められた所定の演算を施す演算部と、
前記演算部により演算が施された温度データと、予め決められた所定の閾値温度データとを比較する閾値判別部と、
前記閾値判別部による比較結果に応じて、前記強調変換パラメータを切り換え制御する切換制御信号を生成する制御信号出力部とを有することを特徴とする請求項１０に記載の液晶表示装置。
【請求項１２】
前記強調変換パラメータの切り換え選択を制御する制御手段を備え、
前記制御手段は、
前記温度検出手段により検出された温度データと、前記入力画像データの信号種別毎に決められた所定の閾値温度データとを比較する閾値判別部と、
前記閾値判別部による比較結果に応じて、前記強調変換パラメータを切り換え制御する切換制御信号を生成する制御信号出力部とを有することを特徴とする請求項１０に記載の液晶表示装置。
【請求項１３】
少なくとも１垂直期間前の画像データと現垂直期間の画像データとに基づいて、液晶表示パネルへ供給する画像データを強調変換することにより、前記液晶表示パネルの光学応答特性を補償する液晶表示制御方法であって、
入力画像データがプログレッシブ信号であるかインターレース信号であるかの信号種別を検出する工程と、
前記入力画像データがインターレース信号である場合、該インターレース信号をプログレッシブ信号の画像データに変換する工程と、
前記液晶表示パネルが所定期間内において前記画像データの定める透過率となるように、前記画像データの強調変換を行う工程とを有し、
前記信号種別の検出結果に応じて、前記画像データに対する強調変換度合いを可変制御することを特徴とする液晶表示制御方法。
【請求項１４】
現垂直期間の画像データと１垂直期間前の画像データとから指定される強調変換パラメータが格納されたテーブルメモリを参照する工程と、
前記強調変換パラメータを用いて、前記画像データに強調演算を施す工程と、
前記強調演算による出力データに対し、前記信号種別の検出結果に応じて、異なる係数を乗算する工程とを有することを特徴とする請求項１３に記載の液晶表示制御方法。
【請求項１５】
前記入力画像データがプログレッシブ信号である場合に参照する、現垂直期間の画像データと１垂直期間前の画像データとから指定される強調変換パラメータが格納されたテーブルメモリを参照する工程と、
前記入力画像データがインターレース信号である場合に参照する、現垂直期間の画像データと１垂直期間前の画像データとから指定される強調変換パラメータが格納されたテーブルメモリを参照する工程と、
前記信号種別の検出結果に応じて、前記テーブルメモリから読み出される前記強調変換パラメータを用いて、前記画像データに強調演算を施す工程とを有することを特徴とする請求項１３に記載の液晶表示制御方法。
【請求項１６】
装置内温度を検出する工程と、
前記装置内温度の検出結果に基づき、前記画像データに対する強調変換度合いを可変する工程と有することを特徴とする請求項１３に記載の液晶表示制御方法。
【請求項１７】
現垂直期間の画像データと１垂直期間前の画像データとから指定される強調変換パラメータが格納されたテーブルメモリを参照する工程と、
前記強調変換パラメータを用いて、前記画像データに強調演算を施す工程と、
前記強調演算の出力データに対し、前記信号種別の検出結果と前記装置内温度の検出結果とに応じて、異なる係数を乗算する工程とを有することを特徴とする請求項１６に記載の液晶表示制御方法。
【請求項１８】
前記入力画像データがプログレッシブ信号である場合に参照する、現垂直期間の画像データと１垂直期間前の画像データとから指定される強調変換パラメータが格納されたテーブルメモリを参照する工程と、
前記入力画像データがインターレース信号である場合に参照する、現垂直期間の画像データと１垂直期間前の画像データとから指定される強調変換パラメータが格納されたテーブルメモリを参照する工程と、
前記信号種別の検出結果に応じて、前記テーブルメモリから読み出される前記強調変換パラメータを用いて、前記画像データに強調演算を施す工程と、
前記強調演算の出力データに対し、前記装置内温度の検出結果に応じて異なる係数を乗算する工程とを有する
ことを特徴とする請求項１６に記載の液晶表示制御方法。
【請求項１９】
前記入力画像データがプログレッシブ信号である場合に参照する、複数の装置内温度毎に対応して、現垂直期間の画像データと１垂直期間前の画像データとから指定される強調変換パラメータが格納されたテーブルメモリを参照する工程と、
前記入力画像データがインターレース信号である場合に参照する、複数の装置内温度毎に対応して、現垂直期間の画像データと１垂直期間前の画像データとから指定される強調変換パラメータが格納されたテーブルメモリを参照する工程と、
前記信号種別の検出結果と前記装置内温度の検出結果とに応じて、前記テーブルメモリから読み出される前記強調変換パラメータを用いて、前記画像データに強調演算を施す工程とを有することを特徴とする請求項１６に記載の液晶表示制御方法。
【請求項２０】
複数の装置内温度毎に対応して、現垂直期間の画像データと１垂直期間前の画像データとから指定される強調変換パラメータが格納されたテーブルメモリを参照する工程と、
前記信号種別の検出結果によって定められた切換温度と前記装置内温度の検出結果との比較結果に応じて、前記テーブルメモリから読み出される前記強調変換パラメータを用いて、前記画像データに強調演算を施す工程とを有することを特徴とする請求項１６に記載の液晶表示制御方法。
【請求項２１】
前記装置内温度の検出結果である温度データに対して、前記入力画像データの信号種別毎に定められた所定の演算を施す工程と、
前記演算が施された温度データと、予め決められた所定の閾値温度データとを比較する工程と、
前記比較の結果に応じて、前記強調変換パラメータを切り換え制御する切換制御信号を生成する工程とを有することを特徴とする請求項２０に記載の液晶表示制御方法。
【請求項２２】
前記装置内温度の検出結果である温度データと、前記入力画像データの信号種別毎に決められた所定の閾値温度データとを比較する工程と、
前記比較の結果に応じて、前記強調変換パラメータを切り換え制御する切換制御信号を生成する工程とを有することを特徴とする請求項２０に記載の液晶表示制御方法。
【請求項２３】
入力画像データがインターレース信号である場合、該インターレース信号をプログレッシブ信号の画像データに変換するＩ／Ｐ変換手段を有すると共に、少なくとも１垂直期間前の画像データと現垂直期間の画像データとに基づいて、液晶表示パネルへ供給する画像データを、前記液晶表示パネルが所定期間内において前記画像データの定める透過率となるように、前記画像データの強調変換することにより、前記液晶表示パネルの光学応答特性を補償する液晶表示装置を制御するコンピュータのプログラムであって、
入力画像データがプログレッシブ信号であるかインターレース信号であるかの信号種別を検出した結果に応じて、前記画像データに対する強調変換度合いを可変制御する工程を、上記コンピュータに実行させるプログラム。
【請求項２４】
請求項２３記載のプログラムが記録された記録媒体。
【発明の詳細な説明】
【技術分野】
【０００１】
本発明は、液晶表示パネルを用いて画像を表示する液晶表示装置に関し、特に液晶表示パネルの光学応答特性を改善することが可能な液晶表示装置に関するものである。
【背景技術】
【０００２】
近年、液晶表示装置（Liquid Crystal Display：以下、ＬＣＤという）は大型化、高精細化が進み、表示される画像もパーソナルコンピュータやワードプロセッサ等に用いられる液晶表示装置のように主として静止画像を扱うものから、ＴＶ等として用いられる液晶表示装置のように動画像を扱う分野にも普及しつつある。ＬＣＤは、陰極線管（Cathod Ray Tube ：以下、ＣＲＴという）を備えるＴＶに比べて薄型であり、場所をさほど占有せずに設置することができるため、一般家庭へも普及しつつある。
【０００３】
ＬＣＤは、第１の基板に形成された複数の走査ラインと、第２の基板に形成された複数の信号ラインとが格子状に配置され、さらに第１及び第２の基板間に異方性誘電率を有する液晶が封入され、各走査ラインと信号ラインとが交差する部分に印加される画像データに応じた電界の強さを調節して第１及び第２の基板を透過する光の量を調節することにより所望の画像を表示させるものである。また、各走査ラインと各信号ラインとが交差する部分の液晶を駆動する場合、各走査ラインと各信号ラインとが交差する近傍に配置した非線形素子（スイッチング素子）であるＴＦＴ（Thin Film Transistor）によって行うことが主流となっている。
【０００４】
最近は、ＬＣＤがコンピュータのディスプレイ装置だけでなくテレビジョン受信機のディスプレイ装置として広く用いられるため、動画像を具現する必要が増加してきた。しかしながら、従来のＬＣＤは応答速度が遅いために動画像を具現するのは難しいという短所があった。
【０００５】
このような液晶の応答速度の問題を改善するために、１フレーム前の入力画像データと現フレームの入力画像データとの組み合わせに応じて、予め決められた現フレームの入力画像データに対する階調電圧より高い（オーバーシュートされた）駆動電圧或いはより低い（アンダーシュートされた）駆動電圧を液晶表示パネルに供給する液晶駆動方法が知られている（たとえば特許文献１）。以下、本願明細書においては、この駆動方式をオーバーシュート（ＯＳ）駆動と定義する。
【０００６】
また、液晶の応答速度は温度依存性が非常に大きいことが知られており、液晶表示パネルの温度が変化しても、これに対応して表示品位を損なうことなく、常に階調変化の応答速度を最適な状態に制御する液晶パネル駆動装置が、たとえば特許文献２に記載されている。
【０００７】
このように、使用環境温度に応じて、液晶表示パネルの光学応答特性を補償すべくオーバーシュート駆動を行うものについて、図１５乃至図１９とともに説明する。ここで、図１５は従来の液晶表示装置の要部構成を示すブロック図、図１６はＯＳテーブルメモリの内容例を示す説明図、図１７は制御ＣＰＵの概略構成を示す機能ブロック図、図１８は装置内温度と参照テーブルメモリとの関係を示す説明図、図１９は液晶に加える電圧と液晶の応答との関係を示す説明図である。
【０００８】
図１５において、１ａ〜１ｄは入力画像データの１フレーム期間前後における階調遷移に応じたＯＳパラメータ（強調変換パラメータ）を、装置内温度毎に対応して格納しているＯＳテーブルメモリ（ＲＯＭ）、１５は入力画像データを１フレーム分記憶するフレームメモリ（ＦＭ）、１４Ｈはこれから表示するＭ番目のフレームの入力画像データ（Current Data）と、フレームメモリ１５に保存されたＭ−１番目のフレームの入力画像データ(Previous Data )とを比較し、該比較結果（階調遷移）に対応するＯＳパラメータをＯＳテーブルメモリ（ＲＯＭ）１ａ〜１ｄのいずれかより読み出して、このＯＳパラメータに基づいてＭ番目のフレームの画像表示に要する強調変換データ（書込階調データ）を決定する強調変換部である。
【０００９】
また、１６は強調変換部１４Ｈからの強調変換データに基づいて、液晶表示パネル１７のゲートドライバ１８及びソースドライバ１９に液晶駆動信号を出力する液晶コントローラ、２０は当該装置内の温度を検出するための温度センサ、１２Ｈは温度センサ２０で検出された装置内温度に応じて、ＯＳテーブルメモリ（ＲＯＭ）１ａ〜１ｄのいずれかを選択参照して、画像データの強調変換に用いるＯＳパラメータを切り換えるための切換制御信号を強調変換部１４Ｈに出力する制御ＣＰＵである。
【００１０】
ここで、ＯＳテーブルメモリ（ＲＯＭ）１ａ〜１ｄに格納されているＯＳパラメータＬＥＶＥＬ１〜ＬＥＶＥＬ４は、それぞれ基準温度Ｔ１、Ｔ２、Ｔ３、Ｔ４（Ｔ１＜Ｔ２＜Ｔ３＜Ｔ４）の環境下における、液晶表示パネル１７の光学応答特性の実測値から予め得られるものであり、それぞれの強調変換度合いはＬＥＶＥＬ１＞ＬＥＶＥＬ２＞ＬＥＶＥＬ３＞ＬＥＶＥＬ４の関係となっている。
【００１１】
なお、たとえば表示信号レベル数すなわち表示データ数が８ビットの２５６階調である場合、ＯＳテーブルメモリ（ＲＯＭ）１ａ〜１ｄには、２５６の全ての階調に対するＯＳパラメータ（実測値）を持っていてもよいが、たとえば図１６に示すように、３２階調毎の９つの代表階調についての９×９のＯＳパラメータ（実測値）のみを記憶しておき、その他の階調に対する強調変換データは、上記実測値から線形補完等の演算で求めるように構成することで、ＯＳテーブルメモリ（ＲＯＭ）の記憶容量を抑制することができる。
【００１２】
また、制御ＣＰＵ１２Ｈは、図１７に示すように、温度センサ２０による温度検出データを、予め決められた所定の閾値温度データ値Ｔｈ１，Ｔｈ２，Ｔｈ３と比較する閾値判別部１２ａと、該閾値判別部１２ａによる比較結果に応じて、ＯＳテーブルメモリ（ＲＯＭ）１ａ〜１ｄのいずれかを選択し、ＯＳパラメータＬＥＶＥＬ１〜ＬＥＶＥＬ４を切り換えるための切換制御信号を生成して出力する制御信号出力部１２ｂとを有している。
【００１３】
ここでは、たとえば図１８に示すように、温度センサ２０で検出された装置内温度が切換閾値温度Ｔｈ１（＝１５℃）以下であれば、制御ＣＰＵ１２Ｈは強調変換部１４Ｈに対し、ＯＳテーブルメモリ（ＲＯＭ）１ａを選択して参照するように指示する。これによって、強調変換部１４ＨはＯＳテーブルメモリ（ＲＯＭ）１ａに格納されているＯＳパラメータＬＥＶＥＬ１を用いて、入力画像データの強調変換処理を行う。
【００１４】
また、温度センサ２０で検出された装置内温度が切換閾値温度Ｔｈ１（＝１５℃）より大きく且つ切換閾値温度Ｔｈ２（＝２５℃）以下であれば、制御ＣＰＵ１２Ｈは強調変換部１４Ｈに対し、ＯＳテーブルメモリ（ＲＯＭ）１ｂを選択して参照するように指示する。これによって、強調変換部１４ＨはＯＳテーブルメモリ（ＲＯＭ）１ｂに格納されているＯＳパラメータＬＥＶＥＬ２を用いて、入力画像データの強調変換処理を行う。
【００１５】
さらに、温度センサ２０で検出された装置内温度が切換閾値温度Ｔｈ２（＝２５℃）より大きく且つ切換閾値温度Ｔｈ３（＝３５℃）以下であれば、制御ＣＰＵ１２Ｈは強調変換部１４Ｈに対し、ＯＳテーブルメモリ（ＲＯＭ）１ｃを選択して参照するように指示する。これによって、強調変換部１４ＨはＯＳテーブルメモリ（ＲＯＭ）１ｃに格納されているＯＳパラメータＬＥＶＥＬ３を用いて、入力画像データの強調変換処理を行う。
【００１６】
そしてまた、温度センサ２０で検出された装置内温度が切換閾値温度Ｔｈ３（＝３５℃）より大きければ、制御ＣＰＵ１２Ｈは強調変換部１４Ｈに対し、ＯＳテーブルメモリ（ＲＯＭ）１ｄを選択して参照するように指示する。これによって、強調変換部１４ＨはＯＳテーブルメモリ（ＲＯＭ）１ｄに格納されているＯＳパラメータＬＥＶＥＬ４を用いて、入力画像データの強調変換処理を行う。
【００１７】
一般的に液晶表示パネルにおいては、ある中間調から別の中間調に変更させる時間は長く、また低温時の入力信号に対する追従性が極端に悪くなり、応答時間が増大するため、中間調を１フレーム期間（たとえば６０Ｈｚのプログレッシブスキャンの場合は１６．７ｍｓｅｃ）内に表示することができず、残像が発生するだけでなく、中間調を正しく表示することができないという課題があったが、上述のオーバーシュート駆動回路を用いて、予め決められた１フレーム表示期間経過後に液晶表示パネル１７が入力画像データの定める目標階調輝度へ到達するように、入力画像データの階調レベルを階調遷移方向へ強調変換することにより、図１９に示すように、目標の中間調を短時間（１フレーム期間内）で表示することが可能となる。
【特許文献１】特開平４−３６５０９４号公報
【特許文献２】特開平４−３１８５１６号公報
【発明の開示】
【発明が解決しようとする課題】
【００１８】
ところで、ブラウン管のインターレース走査に対して、一般的な液晶表示装置においては、プログレッシブ走査により画像表示を行っており、入力画像データがインターレース方式の映像信号である場合、これを、プログレッシブ方式の映像信号に変換（Ｉ／Ｐ変換）した上で、液晶表示パネルに供給する必要がある。ここで、Ｉ／Ｐ変換処理は、たとえば図２０に示すように、インターレース信号の偶数フィールドと奇数フィールドのそれぞれに対しデータ補間し、偶数フィールドと奇数フィールドのそれぞれを、図２１に示すように、それぞれ１フレーム分の画像データとする処理である。
【００１９】
これにより、３０フレーム／秒（６０フィールド／秒）のインターレース映像信号（ＮＴＳＣ放送方式の場合）から６０フレーム／秒の擬似的なプログレッシブ映像信号に変換されるため、インターレース方式の映像信号をプログレッシブ方式で表示することが可能となる。ところが、このようなＩ／Ｐ変換処理として、たとえばインターレース方式の偶数フィールドと奇数フィールドのそれぞれのフィールド内のデータのみで補間を行った場合、図２１の点線で示すように、本来は静止している輪郭位置がフィールド毎に変化してしまうことになり、ちらつきノイズ（偽信号）が発生したり、斜め線がギザギザのジャギー（明暗段差）となって現れる。
【００２０】
ここで、上述したオーバーシュート駆動によって画像データの強調変換を行うと、このようなＩ／Ｐ変換処理によって生じる不所望なちらつきノイズ（偽信号）や斜め線のジャギー（明暗段差）が強調された画像が表示されることとなり、表示画像の画質劣化を招来してしまうという問題がある。
【００２１】
解決しようとする問題点は、インターレース方式の映像信号をＩ／Ｐ変換処理すると、本来の画像にはないフレーム間の変化（偽信号）が生じてしまい、これがオーバーシュート駆動によってさらに強調されて画質劣化を招く可能性がある点である。
【課題を解決するための手段】
【００２２】
請求項１の液晶表示装置は、少なくとも１垂直期間前の画像データと現垂直期間の画像データとに基づいて、液晶表示パネルへ供給する画像データを強調変換することにより、前記液晶表示パネルの光学応答特性を補償する液晶表示装置であって、入力画像データがプログレッシブ信号であるかインターレース信号であるかの信号種別を検出する信号種別検出手段と、前記入力画像データがインターレース信号である場合、該インターレース信号をプログレッシブ信号の画像データに変換するＩ／Ｐ変換手段と、前記液晶表示パネルが所定期間（画素書き換え周期）内において前記画像データの定める透過率となるように、前記画像データの強調変換を行う強調変換手段とを備え、前記信号種別検出手段による検出結果に応じて、前記強調変換手段における前記画像データに対する強調変換度合いを可変制御することを特徴とする。なお、垂直期間は、１フレーム（１コマ）の期間に相当し、例えば、画像データの１フレーム（１コマ）の画像全体を、画像データの１フレーム期間に渡って書き込み走査する場合、１垂直期間は１垂直表示期間と一致する。また、上記画像データの強調変換は、画素単位で行なわれる。
【００２３】
請求項２の液晶表示装置は、現垂直期間の画像データと１垂直期間前の画像データとから指定される強調変換パラメータが格納されたテーブルメモリを備え、前記強調変換手段は、前記強調変換パラメータを用いて、前記画像データに強調演算を施す演算部と、前記演算部の出力データに対し、前記信号種別検出手段による検出結果に応じて、異なる係数を乗算する乗算部とを有することを特徴とする。
【００２４】
請求項３の液晶表示装置は、前記乗算部における係数は、前記入力画像データがインターレース信号である場合、前記入力画像データがプログレッシブ信号である場合に比べて小さくなるように設定されていることを特徴とする。
【００２５】
請求項４の液晶表示装置は、前記入力画像データがプログレッシブ信号である場合に参照する、現垂直期間の画像データと１垂直期間前の画像データとから指定される強調変換パラメータが格納されたテーブルメモリと、前記入力画像データがインターレース信号である場合に参照する、現垂直期間の画像データと１垂直期間前の画像データとから指定される強調変換パラメータが格納されたテーブルメモリとを備え、前記強調変換手段は、前記信号種別検出手段による検出結果に応じて、前記テーブルメモリから読み出される前記強調変換パラメータを用いて、前記画像データに強調演算を施す演算部を有することを特徴とする。
【００２６】
請求項５の液晶表示装置は、前記強調変換パラメータは、前記入力画像データがプログレッシブ信号である場合に読み出されるものに比べて、前記入力画像データがインターレース信号である場合に読み出されるものが小さい値であることを特徴とする。
【００２７】
請求項６の液晶表示装置は、さらに、装置内温度を検出する温度検出手段を備え、前記強調変換手段は、前記温度検出手段による検出結果に基づき、前記画像データに対する強調変換度合いを可変することを特徴とする。
【００２８】
請求項７の液晶表示装置は、現垂直期間の画像データと１垂直期間前の画像データとから指定される強調変換パラメータが格納されたテーブルメモリを備え、前記強調変換手段は、前記強調変換パラメータを用いて、前記画像データに強調演算を施す演算部と、前記演算部の出力データに対し、前記信号種別検出手段による検出結果と前記温度検出手段の検出結果とに応じて、異なる係数を乗算する乗算部とを有することを特徴とする。
【００２９】
請求項８の液晶表示装置は、前記入力画像データがプログレッシブ信号である場合に参照する、現垂直期間の画像データと１垂直期間前の画像データとから指定される強調変換パラメータが格納されたテーブルメモリと、前記入力画像データがインターレース信号である場合に参照する、現垂直期間の画像データと１垂直期間前の画像データとから指定される強調変換パラメータが格納されたテーブルメモリとを備え、前記強調変換手段は、前記信号種別検出手段による検出結果に応じて、前記テーブルメモリから読み出される前記強調変換パラメータを用いて、前記画像データに強調演算を施す演算部と、前記演算部の出力データに対し、前記温度検出手段の検出結果に応じて異なる係数を乗算する乗算部とを有することを特徴とする。
【００３０】
請求項９の液晶表示装置は、前記入力画像データがプログレッシブ信号である場合に参照する、複数の装置内温度毎に対応して、現垂直期間の画像データと１垂直期間前の画像データとから指定される強調変換パラメータが格納されたテーブルメモリと、前記入力画像データがインターレース信号である場合に参照する、複数の装置内温度毎に対応して、現垂直期間の画像データと１垂直期間前の画像データとから指定される強調変換パラメータが格納されたテーブルメモリとを備え、前記強調変換手段は、前記信号種別検出手段による検出結果と前記温度検出手段の検出結果とに応じて、前記テーブルメモリから読み出される前記強調変換パラメータを用いて、前記画像データに強調演算を施す演算部を有することを特徴とする。
【００３１】
請求項１０の液晶表示装置は、複数の装置内温度毎に対応して、現垂直期間の画像データと１垂直期間前の画像データとから指定される強調変換パラメータが格納されたテーブルメモリを備え、前記強調変換手段は、前記信号種別検出手段による検出結果によって定められた切換温度と前記温度検出手段の検出結果との比較結果に応じて、前記テーブルメモリから読み出される前記強調変換パラメータを用いて、前記画像データに強調演算を施す演算部を有することを特徴とする。
【００３２】
請求項１１の液晶表示装置は、前記強調変換パラメータの切り換え選択を制御する制御手段を備え、前記制御手段は、前記温度検出手段により検出された温度データに対して、前記入力画像データの信号種別毎に定められた所定の演算を施す演算部と、前記演算部により演算が施された温度データと、予め決められた所定の閾値温度データとを比較する閾値判別部と、前記閾値判別部による比較結果に応じて、前記強調変換パラメータを切り換え制御する切換制御信号を生成する制御信号出力部とを有することを特徴とする。
【００３３】
請求項１２の液晶表示装置は、前記強調変換パラメータの切り換え選択を制御する制御手段を備え、前記制御手段は、前記温度検出手段により検出された温度データと、前記入力画像データの信号種別毎に決められた所定の閾値温度データとを比較する閾値判別部と、前記閾値判別部による比較結果に応じて、前記強調変換パラメータを切り換え制御する切換制御信号を生成する制御信号出力部とを有することを特徴とする。
【００３４】
請求項１３の液晶表示制御方法は、少なくとも１垂直期間前の画像データと現垂直期間の画像データとに基づいて、液晶表示パネルへ供給する画像データを強調変換することにより、前記液晶表示パネルの光学応答特性を補償する液晶表示制御方法であって、入力画像データがプログレッシブ信号であるかインターレース信号であるかの信号種別を検出する工程と、前記入力画像データがインターレース信号である場合、該インターレース信号をプログレッシブ信号の画像データに変換する工程と、前記液晶表示パネルが所定期間内において前記画像データの定める透過率となるように、前記画像データの強調変換を行う工程とを有し、前記信号種別の検出結果に応じて、前記画像データに対する強調変換度合いを可変制御することを特徴とする。
【００３５】
請求項１４の液晶表示制御方法は、現垂直期間の画像データと１垂直期間前の画像データとから指定される強調変換パラメータが格納されたテーブルメモリを参照する工程と、前記強調変換パラメータを用いて、前記画像データに強調演算を施す工程と、前記強調演算による出力データに対し、前記信号種別の検出結果に応じて、異なる係数を乗算する工程とを有することを特徴とする。
【００３６】
請求項１５の液晶表示制御方法は、前記入力画像データがプログレッシブ信号である場合に参照する、現垂直期間の画像データと１垂直期間前の画像データとから指定される強調変換パラメータが格納されたテーブルメモリを参照する工程と、前記入力画像データがインターレース信号である場合に参照する、現垂直期間の画像データと１垂直期間前の画像データとから指定される強調変換パラメータが格納されたテーブルメモリを参照する工程と、前記信号種別の検出結果に応じて、前記テーブルメモリから読み出される前記強調変換パラメータを用いて、前記画像データに強調演算を施す工程とを有することを特徴とする。
【００３７】
請求項１６の液晶表示制御方法は、装置内温度を検出する工程と、前記装置内温度の検出結果に基づき、前記画像データに対する強調変換度合いを可変する工程と有することを特徴とする。
【００３８】
請求項１７の液晶表示制御方法は、現垂直期間の画像データと１垂直期間前の画像データとから指定される強調変換パラメータが格納されたテーブルメモリを参照する工程と、前記強調変換パラメータを用いて、前記画像データに強調演算を施す工程と、前記強調演算の出力データに対し、前記信号種別の検出結果と前記装置内温度の検出結果とに応じて、異なる係数を乗算する工程とを有することを特徴とする。
【００３９】
請求項１８の液晶表示制御方法は、前記入力画像データがプログレッシブ信号である場合に参照する、現垂直期間の画像データと１垂直期間前の画像データとから指定される強調変換パラメータが格納されたテーブルメモリを参照する工程と、前記入力画像データがインターレース信号である場合に参照する、現垂直期間の画像データと１垂直期間前の画像データとから指定される強調変換パラメータが格納されたテーブルメモリを参照する工程と、前記信号種別の検出結果に応じて、前記テーブルメモリから読み出される前記強調変換パラメータを用いて、前記画像データに強調演算を施す工程と、前記強調演算の出力データに対し、前記装置内温度の検出結果に応じて異なる係数を乗算する工程とを有することを特徴とする。
【００４０】
請求項１９の液晶表示制御方法は、前記入力画像データがプログレッシブ信号である場合に参照する、複数の装置内温度毎に対応して、現垂直期間の画像データと１垂直期間前の画像データとから指定される強調変換パラメータが格納されたテーブルメモリを参照する工程と、前記入力画像データがインターレース信号である場合に参照する、複数の装置内温度毎に対応して、現垂直期間の画像データと１垂直期間前の画像データとから指定される強調変換パラメータが格納されたテーブルメモリを参照する工程と、前記信号種別の検出結果と前記装置内温度の検出結果とに応じて、前記テーブルメモリから読み出される前記強調変換パラメータを用いて、前記画像データに強調演算を施す工程とを有することを特徴とする。
【００４１】
請求項２０の液晶表示制御方法は、複数の装置内温度毎に対応して、現垂直期間の画像データと１垂直期間前の画像データとから指定される強調変換パラメータが格納されたテーブルメモリを参照する工程と、前記信号種別の検出結果によって定められた切換温度と前記装置内温度の検出結果との比較結果に応じて、前記テーブルメモリから読み出される前記強調変換パラメータを用いて、前記画像データに強調演算を施す工程とを有することを特徴とする。
【００４２】
請求項２１の液晶表示制御方法は、前記装置内温度の検出結果である温度データに対して、前記入力画像データの信号種別毎に定められた所定の演算を施す工程と、前記演算が施された温度データと、予め決められた所定の閾値温度データとを比較する工程と、前記比較の結果に応じて、前記強調変換パラメータを切り換え制御する切換制御信号を生成する工程とを有することを特徴とする。
【００４３】
請求項２２の液晶表示制御方法は、前記装置内温度の検出結果である温度データと、前記入力画像データの信号種別毎に決められた所定の閾値温度データとを比較する工程と、前記比較の結果に応じて、前記強調変換パラメータを切り換え制御する切換制御信号を生成する工程とを有することを特徴とする。
【００４４】
請求項２３のプログラムは、入力画像データがインターレース信号である場合、該インターレース信号をプログレッシブ信号の画像データに変換するＩ／Ｐ変換手段を有すると共に、少なくとも１垂直期間前の画像データと現垂直期間の画像データとに基づいて、液晶表示パネルへ供給する画像データを、前記液晶表示パネルが所定期間内において前記画像データの定める透過率となるように、前記画像データの強調変換することにより、前記液晶表示パネルの光学応答特性を補償する液晶表示装置を制御するコンピュータのプログラムであって、入力画像データがプログレッシブ信号であるかインターレース信号であるかの信号種別を検出した結果に応じて、前記画像データに対する強調変換度合いを可変制御する工程を、上記コンピュータに実行させるプログラムであり、請求項２４記載の記録媒体は、上記プログラムが記録されている記録媒体である。
【００４５】
本発明の液晶表示装置は、信号種別検出手段により入力画像データがプログレッシブ信号であるかインターレース信号であるかの信号種別を検出し、入力画像データがインターレース信号である場合、Ｉ／Ｐ変換手段により該インターレース信号をプログレッシブ信号の画像データに変換した上で、強調変換手段により該画像データの強調変換を行う。その際、信号種別検出手段による検出結果に応じて、強調変換手段における画像データに対する強調変換度合いを可変制御し、入力画像データがプログレッシブ信号である場合に比べて、画像データの強調変換度合いを小さくするようにしたので、インターレース方式の映像信号がＩ／Ｐ変換される際に生じるフレーム間の不所望な変化（偽信号）が強調されて画質が劣化することを防止することができる。
【発明の効果】
【００４６】
本発明の液晶表示装置は、インターレース方式の映像信号がＩ／Ｐ変換される際に生じるフレーム間の不所望な変化（偽信号）がオーバーシュート駆動によって強調されることを防止して、輪郭部等におけるちらつきノイズやジャギーの発生を抑えた高画質の画像表示を実現することができる。
【発明を実施するための最良の形態】
【００４７】
本発明の液晶表示装置においては、液晶の応答速度を改善するために、入力画像データに対して上述したオーバーシュート駆動により強調変換処理を施すが、その際、インターレース信号をＩ／Ｐ変換する際に発生する不所望なちらつきノイズやジャギー等が強調されて目立つことを抑えるために、入力画像データがインターレース信号である場合には、入力画像データがプログレッシブ信号である場合に比べて、画像データに対する強調変換度合いをより小さくする。これによって、液晶表示パネルの光学応答特性を補償して、残像や尾引きの発生を抑制しつつ、Ｉ／Ｐ変換する際に発生する輪郭部での不所望な偽信号の強調を抑制して、高画質の画像表示を行うことが可能となる。
（実施形態１）
図１は本発明の液晶表示装置の実施形態１を説明するための図、図２は図１のＯＳテーブルメモリ（ＲＯＭ）を参照して得られるＯＳパラメータと、入力信号種別に応じて与えられる乗算係数とを用いて、液晶表示パネルに供給する強調変換データを求める場合を説明するための図である。なお、以下に説明する図において、図１５と共通する部分には同一符号を付すものとする。また、以下の説明においては、各実施形態における強調変換部による強調変換が異なるため、それぞれの実施形態においては強調変換部に符号１４Ａ〜１４Ｆのいずれかを付している。同様に、各実施形態における制御ＣＰＵによる制御も異なるため、それぞれの実施形態では符号１２Ａ〜１２Ｇのいずれかを付している。
【００４８】
図１に示す実施形態１の液晶表示装置は、入力画像データがプログレッシブ信号である場合は無変換のままで、入力画像データがインターレース信号である場合はプログレッシブ信号にＩ／Ｐ変換した上で、液晶表示パネルの光学応答速度を改善するために、画像データに対する強調変換処理を施すものであり、その際、Ｉ／Ｐ変換処理された画像データに対する強調変換度合いを、入力画像データがもともとプログレッシブ信号である場合より小さくするものであって、映像信号種別検出部１０、Ｉ／Ｐ変換部１１、制御ＣＰＵ１２Ａ、強調変換部１４Ａ、フレームメモリ１５、液晶コントローラ１６、液晶表示パネル１７を備えている。
【００４９】
信号種別検出手段としての映像信号種別検出部１０は、入力画像データがインターレース信号であるかプログレッシブ信号であるかの信号種別を検出する。その際、水平周波数をカウントし、信号フォーマットを判別するような検出方法を用いることができる。Ｉ／Ｐ変換手段としてのＩ／Ｐ変換部１１は、図２０で説明したように、インターレース信号の偶数フィールドと奇数フィールドのそれぞれに対しデータ補間し、偶数フィールドと奇数フィールドのそれぞれを、図２１に示したように、それぞれ１フレーム分の画像データとする変換を行う。これにより、３０フレーム／秒（６０フィールド／秒）のインターレース映像信号（ＮＴＳＣ放送方式の場合）から６０フレーム／秒の擬似的なプログレッシブ映像信号に変換される。
【００５０】
制御手段としての制御ＣＰＵ１２Ａは、映像信号種別検出部１０によってインターレース信号が検出されたとき、Ｉ／Ｐ変換部１１に対してＩ／Ｐ変換処理を行わせたり、映像信号種別検出部１０によって検出された信号種別に応じて強調変換部１４Ａによる強調変換処理を制御したりする。
【００５１】
強調変換手段としての強調変換部１４Ａは、制御ＣＰＵ１２Ａによる制御により、これから表示する現フレームの画像データ（現垂直期間の画像データ）と、フレームメモリ１５に格納された１フレーム前の画像データ（１垂直期間前の画像データ）とを比較し、その比較結果である階調遷移パターンに応じたＯＳパラメータ（強調変換パラメータ）をＯＳテーブルメモリ（ＲＯＭ）１３から読み出し、この読み出したＯＳパラメータに基づいて、これから表示する現フレームの画像表示に要する強調変換データ（書込階調データ）を求め、液晶コントローラ１６に出力する。ここで、強調変換部１４Ａには、入力画像データがプログレッシブ信号の場合、そのまま無変換の画像データが入力され、入力画像データがインターレース信号の場合、Ｉ／Ｐ変換処理された後の画像データが入力される。
【００５２】
この場合、図２に示すように、ＯＳテーブルメモリ（ＲＯＭ）１３を参照して得られるＯＳパラメータと、入力画像データの信号種別に応じて与えられる乗算係数とを用いることで、液晶表示パネル１７に供給する強調変換データを求めることができる。すなわち、演算部１４ｄにより、これから表示するＭ番目のフレームの入力画像データ（Current Data）と、フレームメモリ１５に格納されたＭ−１番目のフレームの入力画像データ(Previous Data )とを比較し、その比較結果（階調遷移）に対応する（すなわち、その比較結果により指定される）ＯＳパラメータをＯＳテーブルメモリ（ＲＯＭ）１３から読み出し、線形補完等の演算を施すことにより、強調演算データを出力する。
【００５３】
そして、減算器１４ａによって現フレームの画像データからその強調演算データを減算して差分データを求め、乗算器１４ｂによってその差分データに対し制御ＣＰＵ１２Ａからの係数切換制御信号により切り換えられる乗算係数α1 又はβ1 を乗算し、加算器１４ｃによってその乗算係数が乗算された差分データを現フレームの画像データに加算し、その加算したデータを強調変換データとして液晶コントローラ１６に与える。これにより、液晶画素が所定期間内において入力画像データの定める透過率となるように駆動表示される。ここで、所定期間とは１フレーム画像の表示期間（画素書き換え周期）であり、通常のホールド型表示の場合、１フレーム期間（たとえば６０Ｈｚのプログレッシブスキャンの場合は１６．７ｍｓｅｃ）であり、たとえば１フレーム期間の５０％の期間に黒表示を行う擬似インパルス型表示とした場合には、画像表示期間は１／２フレーム期間（たとえば６０Ｈｚのプログレッシブスキャンの場合は８．３ｍｓｅｃ）となる。
【００５４】
また、入力画像データがプログレッシブ信号の場合の乗算係数はα1 ＝１とし、入力画像データがインターレース信号の場合の乗算係数はβ1 ＜１としている。これにより、入力画像データがプログレッシブ信号の場合には、乗算係数α1 （＝１）が選択されて、液晶画素が所定期間内において入力画像データの定める透過率となるように、画像データの強調変換を行うことにより、残像や尾引きが発生しない高画質の画像表示が行われる。一方、入力画像データがインターレース信号の場合は、乗算係数β１（＜１）が選択されて、強調変換度合いをより小さくすることができ、Ｉ／Ｐ変換処理によって表示画像の輪郭部等に発生する不所望なちらつきノイズやジャギー等の過強調による画質劣化が防止される。
【００５５】
なお、ＯＳテーブルメモリ（ＲＯＭ）１３には、表示データ数が８ビットの２５６階調である場合、２５６の全ての階調に対するＯＳパラメータ（実測値）を持たせてもよいが、たとえば図１６に示したように、３２階調毎の９つの代表階調についての９×９のＯＳパラメータ（実測値）のみを記憶しておき、その他の階調に対する強調変換データは、上記実測値から線形補完等の演算で求めるように構成することで、ＯＳテーブルメモリ（ＲＯＭ）１３の記憶容量を抑制することができる。
【００５６】
フレームメモリ１５は、１フレーム分の画像データを格納することができるものであって、これから表示される現フレームの画像データに対し、１フレーム前の画像データが格納されている。液晶コントローラ１６は、強調変換部１４Ａからの強調変換データに基づき、ゲートドライバ１８及びソースドライバ１９を駆動し、液晶表示パネル１７に対し画像表示を行わせる。液晶表示パネル１７は、上述した非線形素子（スイッチング素子）であるＴＦＴ（Thin Film Transistor）を有し、ゲートドライバ１８及びソースドライバ１９の駆動により画像表示を行う。
【００５７】
次に、上述した実施形態１での入力画像データの強調変換による液晶表示制御方法について説明する。
【００５８】
まず、入力画像データがあると、映像信号種別検出部１０により、インターレース信号であるかプログレッシブ信号であるかの信号種別が検出される。検出に際しては、上述したように、入力画像データの水平周波数をカウントし、信号フォーマットを判別するような検出方法を用いることができる。
【００５９】
ここで、たとえばプログレッシブ信号が検出されると、映像信号種別検出部１０から制御ＣＰＵ１２Ａに対し、プログレッシブ信号を検出したことが通知される。この場合には、Ｉ／Ｐ変換部１１によるＩ／Ｐ変換処理は行われず、入力画像データはそのまま強調変換部１４Ａに入力される。
【００６０】
このとき、制御ＣＰＵ１２Ａにより強調変換部１４Ａに対して、入力画像データに対する強調変換処理が指示される。この場合、上述したように、演算部１４ｄにより、これから表示するＭ番目のフレームの入力画像データ（Current Data）と、フレームメモリ１５に格納されたＭ−１番目のフレームの入力画像データ(Previous Data )とが比較され、その比較結果（階調遷移）に対応するＯＳパラメータがＯＳテーブルメモリ（ＲＯＭ）１３から読み出され、強調演算データが求められる。なお、この強調演算データは、液晶表示パネル１７が所定期間内においてこれから表示するＭ番目のフレームの入力画像データにより定められる透過率に到達可能なデータである。減算器１４ａによってその強調演算データとこれから表示するＭ番目のフレームの入力画像データとの差分データが求められる。
【００６１】
ここで、制御ＣＰＵ１２Ａによりプログレッシブ信号の場合の乗算係数α1 （＝１）が選択されるため、乗算器１４ｂによって減算器１４ａによる差分データに対し乗算係数α1 （＝１）が乗算され（すなわち、差分データがそのまま出力され）、加算器１４ｃによってその乗算されたデータとこれから表示するＭ番目のフレームの入力画像データとが加算され、その加算されたデータが強調変換データとして液晶コントローラ１６に与えられる（従って、この場合、液晶表示パネル１７に供給される強調変換データは、演算部１４ｄによる強調演算データと等しい）。これにより、入力画像データがプログレッシブ信号の場合には、液晶画素が所定期間内において入力画像データの定める透過率となるように表示駆動されるので、液晶表示パネル１７の光学応答特性を補償して、残像や尾引きのない高画質の画像表示が行われる。
【００６２】
これに対し、映像信号種別検出部１０により、インターレース信号が検出されると、制御ＣＰＵ１２によりＩ／Ｐ変換部１１が制御され、Ｉ／Ｐ変換部１１によってインターレース信号の入力画像データに対するＩ／Ｐ変換処理が行われ、擬似的なプログレッシブ信号に変換された上で、強調変換部１４Ａに入力される。
【００６３】
またこのとき、制御ＣＰＵ１２Ａにより強調変換部１４Ａに対して、Ｉ／Ｐ変換処理された画像データに対する強調変換処理が指示される。この場合、上述したように、演算部１４ｄにより、これから表示するＭ番目のフレームの入力画像データ（Current Data）と、フレームメモリ１５に格納されたＭ−１番目のフレームの入力画像データ(Previous Data )とが比較され、その比較結果（階調遷移）に対応するＯＳパラメータがＯＳテーブルメモリ（ＲＯＭ）１３から読み出され、強調演算データが求められる。なお、この強調演算データは、液晶表示パネル１７が所定期間内においてこれから表示するＭ番目のフレームの入力画像データにより定められる透過率に到達可能なデータである。減算器１４ａによってその強調演算データとこれから表示するＭ番目のフレームの入力画像データとの差分データが求められる。
【００６４】
ここで、制御ＣＰＵ１２Ａによりインターレース信号の場合の乗算係数β1 （＜１）が選択されるため、乗算器１４ｂによって減算器１４ａによる差分データに対し乗算係数β1 が乗算され（すなわち、差分データが低減されて出力され）、加算器１４ｃによってその乗算されたデータとこれから表示するＭ番目のフレームの入力画像データとが加算され、その加算されたデータが強調変換データとして液晶コントローラ１６に与えられる（従って、この場合、液晶表示パネル１７に供給される強調変換データは、演算部１４ｄによる強調演算データより強調変換度合いが小さい）。これにより、入力画像データがインターレース信号の場合には、液晶表示パネル１７の光学応答特性を補償して、残像や尾引きの発生を抑えつつ、Ｉ／Ｐ変換処理によって発生する不所望な偽信号が強調されることによる画質劣化を抑制して、高画質の画像表示が行われる。
【００６５】
以上のように、実施形態１では、映像信号種別検出部１０によりプログレッシブ信号が検出された場合、強調変換部１４Ａにより現フレームの入力画像データと１フレーム前の入力画像データとの比較結果（階調遷移）に対応するＯＳパラメータをＯＳテーブルメモリ（ＲＯＭ）１３から読み出し、その読み出したＯＳパラメータに基づいて得られた強調演算データを強調変換データとして液晶コントローラ１６に出力するようにしたので、液晶画素が所定期間内において入力画像データの定める透過率となるように表示駆動することができ、残像や尾引きのない高画質の画像表示を行うことが可能である。
【００６６】
これに対し、映像信号種別検出部１０によりインターレース信号が検出された場合、強調変換部１４Ａにより現フレームの入力画像データと１フレーム前の入力画像データとの比較結果（階調遷移）に対応するＯＳパラメータをＯＳテーブルメモリ（ＲＯＭ）１３から読み出し、その読み出したＯＳパラメータに基づいて得られた強調演算データより強調変換度合いを小さくして、強調変換データとして液晶コントローラ１６に出力するようにしたので、液晶の応答速度を改善して残像や尾引きの発生を抑制するとともに、インターレース信号をＩ／Ｐ変換処理する際に画像輪郭部等で生じる偽信号による画質劣化を抑えることができ、高画質の画像表示を行うことが可能となる。
（実施形態２）
図３は入力画像データがプログレッシブ信号である場合に、画像データの強調変換に用いるＯＳパラメータが格納されたＯＳテーブルメモリ（ＲＯＭ）と、入力画像データがインターレース信号である場合に、画像データの強調変換に用いるＯＳパラメータが格納されたＯＳテーブルメモリ（ＲＯＭ）とを個別に設けた場合の実施形態２を示す図である。なお、以下に説明する図において、図１と共通する部分には同一符号を付し重複する説明を省略する。
【００６７】
図３に示す液晶表示装置では、入力画像データがプログレッシブ信号である場合に参照するＯＳテーブルメモリ（ＲＯＭ）１３ａと、入力画像データがインターレース信号である場合に参照するＯＳテーブルメモリ（ＲＯＭ）１３ｂとを備え、映像信号種別検出部１０により検出された入力画像データの信号種別に応じてＯＳテーブルメモリ（ＲＯＭ）１３ａ，１３ｂのいずれかを切り換え参照して、画像データの強調変換処理を行うようにしている。
【００６８】
また、ＯＳテーブルメモリ（ＲＯＭ）１３ｂ内のＯＳパラメータは、ＯＳテーブルメモリ（ＲＯＭ）１３ａ内のＯＳパラメータより小さい値である。これは、上述したように、インターレース信号をＩ／Ｐ変換処理した場合に画像輪郭部で生じる偽信号が強調されて目立つことを抑制するために、入力画像データがインターレース信号である場合には、入力画像データがプログレッシブ信号である場合に比べて、画像データに対する強調変換度合いを小さくする必要があるためである。
【００６９】
なお、ここでは、それぞれのＯＳパラメータを、それぞれ個別に設けられたＯＳテーブルメモリ（ＲＯＭ）１３ａ，１３ｂに格納しているが、単一のＯＳテーブルメモリ（ＲＯＭ）の異なるテーブル領域にそれぞれのＯＳパラメータを格納しておき、制御ＣＰＵ１２Ｂからの切換制御信号に応じて、参照するテーブル領域を適応的に切り換えることにより、ＯＳパラメータを切換選択して、強調変換データを求めるように構成してもよい。
【００７０】
このような構成では、上述したように、映像信号種別検出部１０により、たとえばプログレッシブ信号が検出されると、映像信号種別検出部１０から制御ＣＰＵ１２Ｂに対し、プログレッシブ信号を検出したことが通知される。この場合には、Ｉ／Ｐ変換部１１によるＩ／Ｐ変換処理は行われず、入力画像データはそのまま強調変換部１４Ｂに入力される。
【００７１】
このとき、制御ＣＰＵ１２Ｂにより強調変換手段としての強調変換部１４Ｂに対して、入力画像データに対する強調変換処理が指示される。この場合、強調変換部１４Ｂは、これから表示するＭ番目のフレームの入力画像データ（Current Data）と、フレームメモリ１５に格納されたＭ−１番目のフレームの入力画像データ(Previous Data )との比較結果（階調遷移）に対応する（すなわち、その比較結果により指定される）ＯＳパラメータを、入力画像データがプログレッシブ信号である場合に参照するＯＳテーブルメモリ（ＲＯＭ）１３ａから読み出し、このＯＳパラメータを用いて線形補完等の演算を施すことで、液晶コントローラ１６に出力する強調変換データが求められる。なお、この強調変換データは、液晶表示パネル１７が所定期間内においてこれから表示するＭ番目のフレームの入力画像データにより定められる透過率に到達可能なデータである。
【００７２】
これにより、入力画像データがプログレッシブ信号の場合には、液晶画素が所定期間内において入力画像データの定める透過率となるように表示駆動されるので、液晶表示パネル１７の光学応答特性を補償して、残像や尾引きのない高画質の画像表示が行われる。
【００７３】
これに対し、映像信号種別検出部１０により、インターレース信号が検出されると、制御ＣＰＵ１２ＢによりＩ／Ｐ変換部１１が制御され、Ｉ／Ｐ変換部１１によってインターレース信号の入力画像データに対するＩ／Ｐ変換処理が行われ、擬似的なプログレッシブ信号に変換された上で、強調変換部１４Ｂに入力される。
【００７４】
またこのとき、制御ＣＰＵ１２Ｂにより強調変換部１４Ｂに対して、Ｉ／Ｐ変換処理された画像データに対する強調変換処理が指示される。この場合、強調変換部１４Ｂは、これから表示するＭ番目のフレームの入力画像データ（Current Data）と、フレームメモリ１５に格納されたＭ−１番目のフレームの入力画像データ(Previous Data )との比較結果（階調遷移）に対応する（すなわち、その比較結果により指定される）ＯＳパラメータを、入力画像データがインターレース信号である場合に参照するＯＳテーブルメモリ（ＲＯＭ）１３ｂから読み出し、このＯＳパラメータを用いて線形補完等の演算を施すことで、液晶コントローラ１６に出力する強調変換データが求められる。なお、この強調変換データは、入力画像データがプログレッシブ信号である場合に、ＯＳテーブルメモリ（ＲＯＭ）１３ａを参照して求められた強調変換データに比べて、その強調変換度合いが小さくなっている。
【００７５】
これにより、入力画像データがインターレース信号の場合には、液晶表示パネル１７の光学応答特性を補償して、残像や尾引きの発生を抑えつつ、Ｉ／Ｐ変換処理によって発生する不所望な偽信号が強調されることによる画質劣化を抑制して、高画質の画像表示が行われる。
【００７６】
このように、実施形態２では、入力画像データがプログレッシブ信号である場合に用いるＯＳパラメータが格納されたＯＳテーブルメモリ（ＲＯＭ）１３ａと、入力画像データがインターレース信号である場合に用いるＯＳパラメータが格納されたＯＳテーブルメモリ（ＲＯＭ）１３ｂとを備え、ＯＳテーブルメモリ（ＲＯＭ）１３ｂ内のＯＳパラメータを、ＯＳテーブルメモリ（ＲＯＭ）１３ａ内のＯＳパラメータより小さい値とし、前記検出されたプログレッシブ信号又はインターレース信号に応じてＯＳテーブルメモリ（ＲＯＭ）１３ａ，１３ｂのいずかより読み出されたＯＳパラメータを用いて、強調変換データを求めるようにしたので、入力画像データの信号種別に応じた適切な強調変換処理を画像データに施すことができる。
（実施形態３）
図４は図１の構成に温度センサを追加し、ＯＳテーブルメモリ（ＲＯＭ）１３を参照して得られるＯＳパラメータと、入力画像データの信号種別及び装置内温度に応じた乗算係数を用いて、画像データに対する強調変換処理を行わせる場合の実施形態３を示す図である。
【００７７】
図４に示す液晶表示装置では、ＯＳテーブルメモリ（ＲＯＭ）１３に、上記同様に、入力画像データがプログレッシブ信号の場合に最適化されたＯＳパラメータ（強調変換パラメータ）が格納されており、信号種別検出手段としての映像信号種別検出部１０による信号種別検出データと温度検出手段としての温度センサ２０による温度検出データとに応じた後述の乗算係数α１〜α４、β１〜β４を用いて入力画像データに対する強調変換を行わせるようにしている。
【００７８】
ここで、ＯＳテーブルメモリ（ＲＯＭ）１３には、上述したように、表示データ数が８ビットの２５６階調である場合、２５６の全ての階調に対するＯＳパラメータ（実測値）を持っていてもよいが、たとえば図１６に示したように、３２階調毎の９つの代表階調についての９×９のＯＳパラメータ（実測値）のみを記憶しておき、その他の階調に対する強調変換データは、上記実測値から線形補完等の演算で求めるように構成することで、ＯＳテーブルメモリ（ＲＯＭ）１３の記憶容量を抑制することができる。
【００７９】
本実施形態の強調変換部１４Ｃは、図２と同様の構成により実現され、ＯＳテーブルメモリ（ＲＯＭ）１３から読み出されたＯＳパラメータと、信号種別及び液晶表示パネル１７の温度に応じた乗算係数α１〜α４、β１〜β４とを用いて、液晶表示パネル１７の温度依存特性を含む光学応答特性を補償するための強調変換データを求めて、液晶コントローラ１６に出力することができる。ここで、入力画像データがプログレッシブ信号の場合の乗算係数はα１〜α４とし、入力画像データがインターレース信号の場合の乗算係数はβ１〜β４とする。ただし、β１＜α１、β２＜α２、β３＜α３、β４＜α４である。
【００８０】
すなわち、温度センサ２０からの温度検出データを、たとえば１５℃以下、１５℃より大きく２５℃以下、２５℃より大きく３５℃以下、３５℃より大きい場合の４段階の温度範囲に分けて、入力画像データがプログレッシブ信号であるとき、たとえば装置内温度が１５℃以下である場合は乗算係数α１（＞α２）、１５℃より大きく２５℃以下である場合は乗算係数α２（＞α３）、２５℃より大きく３５℃以下である場合は乗算係数α３（＞α４）、３５℃より大きい場合は乗算係数α４（＝１）とし、入力画像データがインターレース信号であるとき、たとえば装置内温度が１５℃以下である場合は乗算係数β１（＞β２）、１５℃より大きく２５℃以下である場合は乗算係数β２（＞β３）、２５℃より大きく３５℃以下である場合は乗算係数β３（＞β４）、３５℃より大きい場合は乗算係数β４（＜１）とするものについて説明するが、乗算係数は３段階以下或いは５段階以上の温度範囲に対応したものとしてもよいことは言うまでもない。
【００８１】
なお、これらの乗算係数α１〜α４、β１〜β４は、液晶表示パネル１７の光学応答特性の実測値から予め得られたものである。これにより、入力画像データがインターレース信号の場合は、プログレッシブ信号の場合よりも小さな強調変換度合いで画像データの強調変換を行うことができ、Ｉ／Ｐ変換処理によって発生する不所望な偽信号が強調されることによる画質劣化を抑制しつつ、液晶表示パネル１７の光学応答特性（温度依存特性を含む）を補償して、残像や尾引きのない高品位な画像表示を行うことが可能となる。
【００８２】
また、温度センサ２０は、その本来の目的から液晶表示パネル１７内に設けることが望ましいが、これは構造上困難であるため、液晶表示パネル１７にできる限り近い場所に設置すればよい。また、温度センサ２０は、１個に限らず複数個とし、液晶表示パネル１７の各部位に対応して配置させるようにしてもよい。複数の温度センサ２０を設けた場合には、それぞれの温度センサ２０からの検出結果を平均した値を温度検出データとして用いてもよいし、変化の大きいいずれかの温度センサ２０からの検出結果を温度検出データとして用いてもよい。
【００８３】
このような構成では、上述したように、映像信号種別検出部１０によりたとえばプログレッシブ信号が検出されると、映像信号種別検出部１０から制御ＣＰＵ１２Ｃに対し、プログレッシブ信号を検出したことが通知される。この場合には、Ｉ／Ｐ変換部１１によるＩ／Ｐ変換処理は行われず、入力画像データはそのまま強調変換部１４Ｃに入力される。
【００８４】
このとき、制御ＣＰＵ１２Ｃにより強調変換手段としての強調変換部１４Ｃに対して、入力画像データに対する強調変換処理が指示される。この場合、上述したように、演算部１４ｄにより、これから表示するＭ番目のフレームの入力画像データ（Current Data）と、フレームメモリ１５に格納されたＭ−１番目のフレームの入力画像データ(Previous Data )とが比較され、その比較結果（階調遷移）に対応する（すなわち、その比較結果により指定される）ＯＳパラメータがＯＳテーブルメモリ（ＲＯＭ）１３から読み出されて強調演算データが求められる。そして、減算器１４ａによってその強調演算データとこれから表示するＭ番目のフレームの入力画像データとの差分データが求められる。
【００８５】
このとき、制御ＣＰＵ１２Ｃには温度センサ２０からの温度検出データが取り込まれており、制御ＣＰＵ１２Ｃによりその温度検出データに応じた乗算係数α１〜α４のいずれかが切り換え選択される。ここで、温度検出データがたとえば１５℃以下である場合は乗算係数α１（＞α２）となり、１５℃より大きく２５℃以下である場合は乗算係数α２（＞α３）となり、２５℃より大きく３５℃以下である場合は乗算係数α３（＞α４）となり、３５℃より大きい場合は乗算係数α４（＝１）となる。
【００８６】
温度検出データに応じて、これらの乗算係数α１〜α４のいずれかが制御ＣＰＵ１２Ｃにより切り換えられると、乗算器１４ｂにより前記差分データに対していずれかの乗算係数α１〜α４が乗算され、加算器１４ｃによってその乗算されたデータとこれから表示するＭ番目のフレームの入力画像データとが加算され、その加算されたデータが強調変換データとして液晶コントローラ１６に与えられる。これにより、入力画像データがプログレッシブ信号の場合には、液晶表示パネル１７の温度が変化しても、液晶表示パネル１７の光学応答特性（温度依存特性を含む）を補償して、残像や尾引きのない高画質の画像表示が行われる。
【００８７】
これに対し、映像信号種別検出部１０により、インターレース信号が検出されると、制御ＣＰＵ１２ＣによりＩ／Ｐ変換部１１が制御され、Ｉ／Ｐ変換部１１によってインターレース信号の入力画像データに対するＩ／Ｐ変換処理が行われ、擬似的なプログレッシブ信号に変換された上で、強調変換部１４Ｃに入力される。
【００８８】
またこのとき、制御ＣＰＵ１２Ｃにより強調変換部１４Ｃに対して、Ｉ／Ｐ変換処理された画像データに対する強調変換処理が指示される。この場合、上述したように、演算部１４ｄにより、これから表示するＭ番目のフレームの入力画像データ（Current Data）と、フレームメモリ１５に格納されたＭ−１番目のフレームの入力画像データ(Previous Data )とが比較され、その比較結果（階調遷移）に対応する（すなわち、その比較結果により指定される）ＯＳパラメータがＯＳテーブルメモリ（ＲＯＭ）１３から読み出されて強調演算データが求められる。そして、減算器１４ａによってその強調演算データとこれから表示するＭ番目のフレームの入力画像データとの差分データが求められる。
【００８９】
このとき、制御ＣＰＵ１２Ｃには温度センサ２０からの温度検出データが取り込まれており、制御ＣＰＵ１２Ｃによりその温度検出データに応じた乗算係数β１〜β４のいずれかが切り換え選択される。ここで、温度検出データがたとえば１５℃以下である場合は乗算係数β１（＞β２）となり、１５℃より大きく２５℃以下である場合は乗算係数β２（＞β３）となり、２５℃より大きく３５℃以下である場合は乗算係数β３（＞β４）となり、３５℃より大きい場合は乗算係数β４（＜１）となる。
【００９０】
温度検出データに応じて、これらの乗算係数β１〜β４のいずれかが制御ＣＰＵ１２Ｃにより切り換えられると、乗算器１４ｂにより前記差分データに対していずれかの乗算係数β１〜β４が乗算され、加算器１４ｃによってその乗算されたデータとこれから表示するＭ番目のフレームの入力画像データとが加算され、その加算されたデータが強調変換データとして液晶コントローラ１６に与えられる。
【００９１】
ここで、入力画像データがインターレース信号の場合には、β１＜α１、β２＜α２、β３＜α３、β４＜α４であるため、液晶表示パネル１７の温度が変化しても、液晶表示パネル１７の光学応答特性（温度依存特性を含む）を補償して、残像や尾引きの発生を抑えつつ、Ｉ／Ｐ変換処理によって発生する不所望な偽信号が強調されることによる画質劣化を抑制して、高画質の画像表示が行われる。
【００９２】
このように、実施形態３では、温度センサ２０による温度検出データに応じた、入力画像データがプログレッシブ信号の場合の乗算係数α１〜α４と、インターレース信号の場合の乗算係数β１〜β４とを用いて、画像データに対する強調変換度合いを可変制御するようにしたので、入力画像データの信号種別及び装置内温度に応じた適切な強調変換処理を画像データに施すことが可能となり、高画質の画像表示を行わせることができる。
（実施形態４）
図５は図４のＯＳテーブルメモリ（ＲＯＭ）を入力画像データがプログレッシブ信号である場合に参照する、画像データの強調変換に用いるＯＳパラメータが格納されたＯＳテーブルメモリ（ＲＯＭ）と、入力画像データがインターレース信号である場合に参照する、画像データの強調変換に用いるＯＳパラメータが格納されたＯＳテーブルメモリ（ＲＯＭ）とを個別に設けた構成とし、装置内温度に応じた乗算係数を用いて画像データに対する強調変換度合いを可変する場合の実施形態４を示す図、図６は図５のＯＳテーブルメモリ（ＲＯＭ）を参照して得られるＯＳパラメータと温度センサによる温度検出データに応じた乗算係数とを用いて強調変換データを求める場合を説明するための図である。
【００９３】
図５に示す液晶表示装置では、入力画像データがプログレッシブ信号である場合に参照するＯＳテーブルメモリ（ＲＯＭ）１３ａと、入力画像データがインターレース信号である場合に参照するＯＳテーブルメモリ（ＲＯＭ）１３ｂとを備え、前記検出されたプログレッシブ信号又はインターレース信号に応じてＯＳテーブルメモリ（ＲＯＭ）１３ａ，１３ｂのいずれかを切り換え参照するとともに、温度センサ２０による温度検出データに応じた後述の乗算係数α１〜α４を用いて入力画像データに対する強調変換を行わせるようにしている。
【００９４】
また、ＯＳテーブルメモリ（ＲＯＭ）１３ｂ内のＯＳパラメータは、ＯＳテーブルメモリ（ＲＯＭ）１３ａ内のＯＳパラメータより小さい値である。これは、上述したように、Ｉ／Ｐ変換処理後の画像データに対する強調変換によって、表示画像の輪郭部で生じるちらつきノイズ（偽信号）等が強調されて目立つのを抑制するために、入力画像データがインターレース信号の場合には、画像データに対する強調変換度合いを、入力画像データがプログレッシブ信号の場合よりも小さくする必要があるためである。
【００９５】
なお、ここでは、それぞれのＯＳパラメータを、それぞれ個別に設けられたＯＳテーブルメモリ（ＲＯＭ）１３ａ，１３ｂに格納しているが、単一のＯＳテーブルメモリ（ＲＯＭ）の異なるテーブル領域にそれぞれのＯＳパラメータを格納しておき、制御ＣＰＵ１２Ｄからの切換制御信号に応じて、参照するテーブル領域を適応的に切り換えることにより、ＯＳパラメータを切換選択して、強調変換データを求めるように構成してもよい。
【００９６】
また、ＯＳテーブルメモリ（ＲＯＭ）１３ａ，１３ｂには、上述したように、表示データ数が８ビットの２５６階調である場合、２５６の全ての階調に対するＯＳパラメータ（実測値）を持っていてもよいが、たとえば図１６に示したように、３２階調毎の９つの代表階調についての９×９のＯＳパラメータ（実測値）のみを記憶しておき、その他の階調に対する強調変換データは、上記実測値から線形補完等の演算で求めるように構成することで、ＯＳテーブルメモリ（ＲＯＭ）１３の記憶容量を抑制することができる。
【００９７】
本実施形態の強調変換部１４Ｄは、図２と同様の構成により実現され、入力信号種別に応じてＯＳテーブルメモリ（ＲＯＭ）１３ａ，１３ｂのいずれかより読み出されたＯＳパラメータと、液晶表示パネル１７の温度に応じた乗算係数はα１〜α４とを用いて、液晶表示パネル１７の温度依存特性を含む光学応答特性を補償するための強調変換データを求めて、液晶コントローラ１６に出力することができる。
【００９８】
すなわち、温度センサ２０からの温度検出データを、たとえば１５℃以下、１５℃より大きく２５℃以下、２５℃より大きく３５℃以下、３５℃より大きい場合の４段階の温度範囲に分けて、たとえば装置内温度が１５℃以下である場合は乗算係数α１（＞α２）、１５℃より大きく２５℃以下である場合は乗算係数α２（＞α３）、２５℃より大きく３５℃以下である場合は乗算係数α３（＞α４）、３５℃より大きい場合は乗算係数α４（＝１）とするものについて説明するが、乗算係数は３段階以下或いは５段階以上の温度範囲に対応したものとしてもよいことは言うまでもない。
【００９９】
なお、これらの乗算係数α１〜α４は、液晶表示パネル１７の光学応答特性の実測値から予め得られたものである。これにより、入力画像データがインターレース信号の場合は、プログレッシブ信号の場合よりも小さな強調変換度合いで画像データの強調変換を行うことができ、Ｉ／Ｐ変換処理によって発生する不所望な偽信号が強調されることによる画質劣化を抑制しつつ、液晶表示パネル１７の光学応答特性（温度依存特性を含む）を補償して、残像や尾引きのない高品位な画像表示が行われる。
【０１００】
また、温度センサ２０は、その本来の目的から液晶表示パネル１７内に設けることが望ましいが、これは構造上困難であるため、液晶表示パネル１７にできる限り近い場所に設置すればよい。また、温度センサ２０は、１個に限らず複数個とし、液晶表示パネル１７の各部位に対応して配置させるようにしてもよい。複数の温度センサ２０を設けた場合には、それぞれの温度センサ２０からの検出結果を平均した値を温度検出データとして用いてもよいし、変化の大きいいずれかの温度センサ２０からの検出結果を温度検出データとして用いてもよい。
【０１０１】
このような構成では、上述したように、映像信号種別検出部１０によりたとえばプログレッシブ信号が検出されると、映像信号種別検出部１０から制御ＣＰＵ１２Ｄに対し、プログレッシブ信号を検出したことが通知される。この場合には、Ｉ／Ｐ変換部１１によるＩ／Ｐ変換処理は行われず、入力画像データはそのまま強調変換部１４Ｄに入力される。
【０１０２】
このとき、制御ＣＰＵ１２Ｄにより強調変換手段としての強調変換部１４Ｄに対して、入力画像データに対する強調変換処理が指示される。この場合、図６に示すように、制御ＣＰＵ１２Ｄからのパラメータ切換制御信号によりＯＳテーブルメモリ（ＲＯＭ）１３ａを参照するように指示される。そして、演算部１４ｄにより、これから表示するＭ番目のフレームの入力画像データ（Current Data）と、フレームメモリ１５に格納されたＭ−１番目のフレームの入力画像データ(Previous Data )との比較結果（階調遷移）に対応する（すなわち、その比較結果により指定される）ＯＳパラメータがＯＳテーブルメモリ（ＲＯＭ）１３ａから読み出されて強調演算データが求められる。そして、減算器１４ａによってその強調演算データとこれから表示するＭ番目のフレームの入力画像データとの差分データが求められる。
【０１０３】
このとき、制御ＣＰＵ１２Ｄには温度センサ２０からの温度検出データが取り込まれており、制御ＣＰＵ１２Ｄによりその温度検出データに応じた乗算係数α１〜α４のいずれかを切り換え選択するための係数切換制御信号が強調変換部１４Ｄに与えられる。ここで、温度検出データがたとえば１５℃以下である場合は乗算係数α１（＞α２）となり、１５℃より大きく２５℃以下である場合は乗算係数α２（＞α３）となり、２５℃より大きく３５℃以下である場合は乗算係数α３（＞α４）となり、３５℃より大きい場合は乗算係数α４（＝１）となる。
【０１０４】
温度検出データに応じて、これらの乗算係数α１〜α４のいずれかが制御ＣＰＵ１２Ｄからの係数切換制御信号により切り換えられると、乗算器１４ｂにより前記差分データに対していずれかの乗算係数α１〜α４が乗算され、加算器１４ｃによってその乗算されたデータとこれから表示するＭ番目のフレームの入力画像データとが加算され、その加算されたデータが強調変換データとして液晶コントローラ１６に与えられる。これにより、入力画像データがプログレッシブ信号の場合には、液晶表示パネル１７の温度が変化しても、液晶表示パネル１７の光学応答特性（温度依存特性を含む）を補償して、残像や尾引きのない高画質の画像表示が行われる。
【０１０５】
これに対し、映像信号種別検出部１０により、インターレース信号が検出されると、制御ＣＰＵ１２ＤによりＩ／Ｐ変換部１１が制御され、インターレース信号の入力画像データに対するＩ／Ｐ変換処理が行われ、擬似的なプログレッシブ信号に変換された上で、強調変換部１４Ｄに入力される。
【０１０６】
またこのとき、制御ＣＰＵ１２Ｄにより強調変換部１４Ｄに対して、Ｉ／Ｐ変換処理された画像データに対する強調変換処理が指示される。この場合、制御ＣＰＵ１２Ｄからのパラメータ切換制御信号によりＯＳテーブルメモリ（ＲＯＭ）１３ｂを参照するように指示される。そして、演算部１４ｄにより、これから表示するＭ番目のフレームの入力画像データ（Current Data）と、フレームメモリ１５に格納されたＭ−１番目のフレームの入力画像データ(Previous Data)との比較結果（階調遷移）に対応する（すなわち、その比較結果により指定される）ＯＳパラメータがＯＳテーブルメモリ（ＲＯＭ）１３ｂから読み出されて強調演算データが求められる。そして、減算器１４ａによってその強調演算データとこれから表示するＭ番目のフレームの入力画像データとの差分データが求められる。
【０１０７】
このとき、制御ＣＰＵ１２Ｄには温度センサ２０からの温度検出データが取り込まれており、制御ＣＰＵ１２Ｄからはその温度検出データに応じた乗算係数α１〜α４のいずれかを切り換え選択するための係数切換制御信号が強調変換部１４Ｄに与えられる。ここで、温度検出データがたとえば１５℃以下である場合は乗算係数α１（＞α２）となり、１５℃より大きく２５℃以下である場合は乗算係数α２（＞α３）となり、２５℃より大きく３５℃以下である場合は乗算係数α３（＞α４）となり、３５℃より大きい場合は乗算係数α４（＝１）となる。
【０１０８】
温度検出データに応じてこれらの乗算係数α１〜α４のいずれかが制御ＣＰＵ１２Ｄからの係数切換制御信号により切り換えられると、乗算器１４ｂにより前記差分データに対していずれかの乗算係数α１〜α４が乗算され、加算器１４ｃによってその乗算されたデータとこれから表示するＭ番目のフレームの入力画像データとが加算され、その加算されたデータが強調変換データとして液晶コントローラ１６に与えられる。
【０１０９】
ここで、入力画像データがインターレース信号の場合には、上述したように、ＯＳテーブルメモリ（ＲＯＭ）１３ｂ内のＯＳパラメータがＯＳテーブルメモリ（ＲＯＭ）１３ａ内のＯＳパラメータより小さい値であるため、液晶表示パネル１７の温度が変化しても、液晶表示パネル１７の光学応答特性（温度依存特性を含む）を補償して、残像や尾引きの発生を抑えつつ、Ｉ／Ｐ変換処理によって発生する不所望な偽信号が強調されることによる画質劣化を抑制して、高画質の画像表示が行われる。
【０１１０】
このように、実施形態４では、入力画像データがプログレッシブ信号である場合に参照するＯＳテーブルメモリ（ＲＯＭ）１３ａと、入力画像データがインターレース信号である場合に参照するＯＳテーブルメモリ（ＲＯＭ）１３ｂとを備え、前記検出されたプログレッシブ信号又はインターレース信号に応じてＯＳテーブルメモリ（ＲＯＭ）１３ａ，１３ｂのいずれかより読み出されたＯＳパラメータを用いるとともに、温度センサ２０による温度検出データに応じた乗算係数α１〜α４を用いて入力画像データに対する強調変換度合いを可変制御するようにしたので、入力画像データの信号種別及び装置内温度に応じた適切な強調変換処理を画像データに施すことが可能となり、高画質の画像表示を行わせることができる。
（実施形態５）
図７は入力画像データがプログレッシブ信号である場合に参照する、複数の温度範囲のそれぞれに対応したＯＳパラメータが格納されたＯＳテーブルメモリ（ＲＯＭ）と、入力画像データがインターレース信号である場合に参照する、複数の温度範囲のそれぞれに対応したＯＳパラメータが格納されたＯＳテーブルメモリ（ＲＯＭ）とを個別に設けた構成とした場合の実施形態５を示す図、図８は図７の制御ＣＰＵの詳細を説明するための図、図９は図７のＯＳテーブルメモリ（ＲＯＭ）を入力画像データの信号種別及び装置内温度に応じて切り換え選択する動作を説明するための図である。
【０１１１】
図７に示すように、実施形態５では、入力画像データがプログレッシブ信号である場合に参照するＯＳテーブルメモリ（ＲＯＭ）１３１〜１３４と、入力画像データがインターレース信号である場合に参照するＯＳテーブルメモリ（ＲＯＭ）１３５〜１３８とを設けている。そして、入力画像データがインターレース信号であるかプログレッシブ信号であるかの信号種別を検出し、その信号種別と温度センサ２０からの温度検出データによって得られる装置内温度とに応じて、ＯＳテーブルメモリ（ＲＯＭ）１３１〜１３８のいずれかを切り換え参照し、画像データに対する強調変換処理を行うようにしている。
【０１１２】
ここで、入力画像データがインターレース信号である場合に参照するＯＳテーブルメモリ（ＲＯＭ）１３５〜１３８内のＯＳパラメータは、入力画像データがプログレッシブ信号である場合に参照するＯＳテーブルメモリ（ＲＯＭ）１３１〜１３４内のＯＳパラメータより小さい値である。これは、上述したように、Ｉ／Ｐ変換処理後の画像データに対する強調変換によって、表示画像の輪郭部で生じるちらつきノイズ（偽信号）等が強調されて目立つのを抑制するために、入力画像データがインターレース信号である場合には、入力画像データがプログレッシブ信号の場合よりも、画像データに対する強調変換度合いを小さくする必要があるためである。
【０１１３】
なお、ここでは、それぞれのＯＳパラメータを、それぞれ個別に設けられたＯＳテーブルメモリ（ＲＯＭ）１３１〜１３８に格納しているが、単一のＯＳテーブルメモリ（ＲＯＭ）の異なるテーブル領域にそれぞれのＯＳパラメータを格納しておき、制御ＣＰＵ１２Ｅからの切換制御信号に応じて、参照するテーブル領域を適応的に切り換えることにより、ＯＳパラメータを切換選択して、強調変換データを求めるように構成してもよい。
【０１１４】
また、ＯＳテーブルメモリ（ＲＯＭ）１３１〜１３８には、上述したように、表示データ数が８ビットの２５６階調である場合、２５６の全ての階調に対するＯＳパラメータ（実測値）を持っていてもよいが、たとえば図１６に示したように、３２階調毎の９つの代表階調についての９×９のＯＳパラメータ（実測値）のみを記憶しておき、その他の階調に対する強調変換データは、上記実測値から線形補完等の演算で求めるように構成することで、ＯＳテーブルメモリ（ＲＯＭ）１３１〜１３８の記憶容量を抑制することができる。
【０１１５】
さらに、温度センサ２０は、その本来の目的から液晶表示パネル１７内に設けることが望ましいが、これは構造上困難であるため、液晶表示パネル１７にできる限り近い場所に設置すればよい。また、温度センサ２０は、１個に限らず複数個とし、液晶表示パネル１７の各部位に対応して配置させるようにしてもよい。複数の温度センサ２０を設けた場合には、それぞれの温度センサ２０からの検出結果を平均した値を温度検出データとして用いてもよいし、変化の大きいいずれかの温度センサ２０からの検出結果を温度検出データとして用いてもよい。
【０１１６】
ここで、各ＯＳテーブルメモリ（ＲＯＭ）１３１〜１３８は、図９に示すように、温度センサ２０からの温度検出データに応じて切り換え参照されるようになっている。ここでは、装置内温度がたとえば１５℃以下、１５℃より大きく２５℃以下、２５℃より大きく３５℃以下、３５℃より大きい場合の４段階の温度範囲に対応させて、各ＯＳテーブルメモリ（ＲＯＭ）１３１〜１３８を設けた構成としているが、３段階以下或いは５段階以上の温度範囲に対応したＯＳパラメータを用意してもよいことは言うまでもない。
【０１１７】
このような温度センサ２０の温度検出データに応じて各ＯＳテーブルメモリ（ＲＯＭ）１３１〜１３８の切り換え選択を指示する制御ＣＰＵ１２Ｅの構成を、図８により説明する。すなわち、制御手段としての制御ＣＰＵ１２Ｅは、閾値判別部１２ａ、制御信号出力部１２ｃを有している。
【０１１８】
閾値判別部１２ａは、温度センサ２０からの温度検出データを受け取ると、たとえば予め決められた所定の切換温度（閾値温度）Ｔｈ１、Ｔｈ２、Ｔｈ３とを比較する。ここでは、切換温度（閾値温度）Ｔｈ１、Ｔｈ２、Ｔｈ３はたとえば１５℃、２５℃、３５℃であり、装置内温度が１５℃以下であるか、１５℃より大きく２５℃以下であるか、２５℃より大きく３５℃以下であるか、３５℃より大きいかの判別結果を出力する。
【０１１９】
制御信号出力部１２ｃは、映像信号種別検出部１０によるインターレース信号又はプログレッシブ信号のいずれかの信号種別の検出結果と、閾値判別部１２ａによる判別結果とに応じた切換制御信号を出力する。すなわち、映像信号種別検出部１０からの信号種別の検出結果と閾値判別部１２ａによる判別結果とを受け取ると、その信号種別と温度検出データとに応じて、ＯＳテーブルメモリ（ＲＯＭ）１３１〜１３８のいずれを参照させるかを切換制御信号で指示する。
【０１２０】
この場合、制御信号出力部１２ｃは、たとえば入力画像データがプログレッシブ信号の場合「０」、インターレース信号の場合「１」とする識別データと、たとえば温度センサ２０からの温度検出データが１５℃以下の場合「００」、１５℃より大きく２５℃以下の場合「０１」、２５℃より大きく３５℃以下の場合「１０」、３５℃より大きい場合「１１」とする識別データとを組み合わせることにより、３ビットの切換制御信号で８個の各ＯＳテーブルメモリ（ＲＯＭ）１３１〜１３８のいずれを参照して、画像データの強調変換を行うかの指示を行うことができる。
【０１２１】
このような構成では、上述したように、映像信号種別検出部１０によりたとえばプログレッシブ信号が検出されると、映像信号種別検出部１０から制御ＣＰＵ１２Ｅに対し、プログレッシブ信号を検出したことが通知される。この場合には、Ｉ／Ｐ変換部１１によるＩ／Ｐ変換処理は行われず、入力画像データはそのまま強調変換部１４Ｅに入力される。
【０１２２】
このとき、制御ＣＰＵ１２Ｅにより強調変換手段としての強調変換部１４Ｅに対して、入力画像データに対する強調変換処理が指示される。この場合、閾値判別部１２ａからの温度検出データが１５℃以下であるか、１５℃より大きく２５℃以下であるか、２５℃より大きく３５℃以下であるか、３５℃より大きいかの判別結果に応じて、制御信号出力部１２ｃにより、入力画像データがプログレッシブ信号である場合に参照するＯＳテーブルメモリ（ＲＯＭ）１３１〜１３４のいずれかを選択指示するための切換制御信号が出力される。
【０１２３】
ここで、温度センサ２０からの温度検出データがたとえば１５℃以下である場合、ＯＳテーブルメモリ（ＲＯＭ）１３１を参照するように指示され、１５℃より大きく２５℃以下である場合、ＯＳテーブルメモリ（ＲＯＭ）１３２を参照するように指示され、２５℃より大きく３５℃以下である場合、ＯＳテーブルメモリ（ＲＯＭ）１３３を参照するように指示され、３５℃より大きい場合、ＯＳテーブルメモリ（ＲＯＭ）１３４を参照するように指示される。
【０１２４】
そして、その指示を受けた強調変換部１４Ｅにより、これから表示するＭ番目のフレームの入力画像データ（Current Data）と、フレームメモリ１５に格納されたＭ−１番目のフレームの入力画像データ(Previous Data )との比較結果（階調遷移）に対応する（すなわち、その比較結果により指定される）ＯＳパラメータが、前記選択指示されたＯＳテーブルメモリ（ＲＯＭ）１３１〜１３４のいずれかから読み出され、その読み出されたＯＳパラメータに基づいて強調変換データが求められ、液晶コントローラ１６に与えられる。これにより、入力画像データがプログレッシブ信号の場合には、液晶表示パネル１７の温度が変化しても、液晶表示パネル１７の光学応答特性（温度依存特性を含む）を補償して、残像や尾引きのない高画質の画像表示が行われる。
【０１２５】
これに対し、映像信号種別検出部１０により、インターレース信号が検出されると、制御ＣＰＵ１２ＥによりＩ／Ｐ変換部１１が制御され、インターレース信号の入力画像データに対するＩ／Ｐ変換処理が行われ、擬似的なプログレッシブ信号に変換された上で、強調変換部１４Ｅに入力される。
【０１２６】
またこのとき、上述したように、閾値判別部１２ａからの温度検出データが１５℃以下であるか、１５℃より大きく２５℃以下であるか、２５℃より大きく３５℃以下であるか、３５℃より大きいかの判別結果に応じて、制御信号出力部１２ｃにより、入力画像データがインターレース信号である場合に参照するＯＳテーブルメモリ（ＲＯＭ）１３５〜１３８のいずれかを選択指示するための切換制御信号が出力される。
【０１２７】
ここで、温度センサ２０からの温度検出データがたとえば１５℃以下である場合、ＯＳテーブルメモリ（ＲＯＭ）１３５を参照するように指示され、１５℃より大きく２５℃以下である場合、ＯＳテーブルメモリ（ＲＯＭ）１３６を参照するように指示され、２５℃より大きく３５℃以下である場合、ＯＳテーブルメモリ（ＲＯＭ）１３７を参照するように指示され、３５℃より大きい場合、ＯＳテーブルメモリ（ＲＯＭ）１３８を参照するように指示される。
【０１２８】
そして、その指示を受けた強調変換部１４Ｅにより、これから表示するＭ番目のフレームの入力画像データ（Current Data）と、フレームメモリ１５に格納されたＭ−１番目のフレームの入力画像データ(Previous Data )との比較結果（階調遷移）に対応する（すなわち、その比較結果により指定される）ＯＳパラメータが、前記選択指示されたＯＳテーブルメモリ（ＲＯＭ）１３５〜１３８のいずれかから読み出され、その読み出されたＯＳパラメータに基づいて強調変換データが求められ、液晶コントローラ１６に与えられる。
【０１２９】
ここで、入力画像データがインターレース信号の場合には、上述したように、ＯＳテーブルメモリ（ＲＯＭ）１３５〜１３８内のＯＳパラメータが、対応するＯＳテーブルメモリ（ＲＯＭ）１３１〜１３４内のＯＳパラメータより小さい値であるため、液晶表示パネル１７の温度が変化しても、液晶表示パネル１７の光学応答特性（温度依存特性を含む）を補償して、残像や尾引きの発生を抑えつつ、Ｉ／Ｐ変換処理によって発生する不所望な偽信号が強調されることによる画質劣化を抑制して、高画質の画像表示が行われる。
【０１３０】
このように、実施形態５では、入力画像データがプログレッシブ信号である場合に参照する、温度センサ２０からの温度検出データに応じた複数のＯＳテーブルメモリ（ＲＯＭ）１３１〜１３４と、入力画像データがインターレース信号である場合に参照する、温度センサ２０からの温度検出データに応じた複数のＯＳテーブルメモリ（ＲＯＭ）１３５〜１３８とを設け、入力画像データがインターレース信号であるかプログレッシブ信号であるかの信号種別と、温度センサ２０からの温度検出データによって得られる装置内温度とに応じて、ＯＳテーブルメモリ（ＲＯＭ）１３１〜１３８のいずれかを切り換え参照し、画像データに対する強調変換を行うようにしたので、入力信号種別及び装置内温度に対応した適切な強調変換処理を画像データに施すことが可能となり、高画質の画像表示を行わせることができる。
（実施形態６）
図１０は入力画像データがプログレッシブ信号である場合とインターレース信号である場合とでＯＳパラメータを共用した場合の実施形態６を示す図、図１１は図１０の制御ＣＰＵの詳細を示す図、図１２は図１０のＯＳテーブルメモリ（ＲＯＭ）を入力画像データの信号種別及び装置内温度に応じて切り換え選択する動作を説明するための図である。
【０１３１】
図１０に示すように、実施形態６では、図７に示したＯＳテーブルメモリ（ＲＯＭ）１３１〜１３８のうち、たとえば入力画像データがプログレッシブ信号である場合に参照する４個のＯＳテーブルメモリ（ＲＯＭ）１３１〜１３４を、入力画像データがインターレース信号である場合にも参照できるようにし、映像信号種別検出部１０による信号種別及び温度センサ２０による装置内温度に応じて、ＯＳテーブルメモリ（ＲＯＭ）１３１〜１３４のいずれかを切り換え参照し、画像データに対する強調変換処理を行うようにしている。
【０１３２】
このように、入力画像データの信号種別及び装置内温度の検出データに応じて、参照するＯＳテーブルメモリ（ＲＯＭ）１３１〜１３４の切り換え制御を行う制御ＣＰＵ１２Ｆは、図１１に示す構成となっている。すなわち、制御ＣＰＵ１２Ｆは、閾値判別部１２ａ、制御信号出力部１２ｂ、信号種別演算式格納部１２ｅ、演算部１２ｆを有している。
【０１３３】
閾値判別部１２ａは、演算部１２ｆにより演算が施された温度データと、予め決められた所定の切換温度（閾値温度）Ｔｈ１，Ｔｈ２，Ｔｈ３とを比較する。ここで、Ｔｈ１，Ｔｈ２，Ｔｈ３は、たとえば１５℃、２５℃、３５℃である。制御信号出力部１２ｂは、閾値判別部１２ａによる比較結果に応じて、強調変換手段としての強調変換部１４Ｆに対しいずれのＯＳテーブルメモリ（ＲＯＭ）１３１〜１３４を選択して参照させるかを指示するための切換制御信号を生成する。
【０１３４】
信号種別演算式格納部１２ｅには、入力画像データの信号種別毎に決められた所定値を、温度センサ２０による温度検出データに対して加減算する等の演算式が格納されている。演算部１２ｆは、映像信号種別検出部１０により検出された信号種別のデータに応じ、信号種別演算式格納部１２ｅから読み出された演算式を用いて、温度センサ２０による温度検出データに補正演算を施す。
【０１３５】
このような構成では、たとえば図１２に示すように、入力画像データがプログレッシブ信号である場合、温度センサ２０で検出された装置内温度が切換温度Ｔｈ１（＝１５℃）以下であれば、制御ＣＰＵ１２Ｆは強調変換部１４Ｆに対し、ＯＳテーブルメモリ（ＲＯＭ）１３１を選択して参照するように指示する。これによって、強調変換部１４ＦはＯＳテーブルメモリ（ＲＯＭ）１３１に格納されているＯＳパラメータを用いて、入力画像データの強調変換処理を行う。
【０１３６】
また、温度センサ２０で検出された装置内温度が切換温度Ｔｈ１（＝１５℃）より大きく且つ切換温度Ｔｈ２（＝２５℃）以下であれば、制御ＣＰＵ１２Ｆは強調変換部１４Ｆに対し、ＯＳテーブルメモリ（ＲＯＭ）１３２を選択して参照するように指示する。これによって、強調変換部１４ＦはＯＳテーブルメモリ（ＲＯＭ）１３２に格納されているＯＳパラメータを用いて、入力画像データの強調変換処理を行う。
【０１３７】
さらに、温度センサ２０で検出された装置内温度が切換温度Ｔｈ２（＝２５℃）より大きく且つ切換温度Ｔｈ３（＝３５℃）以下であれば、制御ＣＰＵ１２Ｆは強調変換部１４Ｆに対し、ＯＳテーブルメモリ（ＲＯＭ）１３３を選択して参照するように指示する。これによって、強調変換部１４ＦはＯＳテーブルメモリ（ＲＯＭ）１３３に格納されているＯＳパラメータを用いて、入力画像データの強調変換処理を行う。
【０１３８】
そしてまた、温度センサ２０で検出された装置内温度が切換温度Ｔｈ３（＝３５℃）より大きければ、制御ＣＰＵ１２Ｆは強調変換部１４Ｆに対し、ＯＳテーブルメモリ（ＲＯＭ）１３４を選択して参照するように指示する。これによって、強調変換部１４ＦはＯＳテーブルメモリ（ＲＯＭ）１３４に格納されているＯＳパラメータを用いて、入力画像データの強調変換処理を行う。
【０１３９】
一方、入力画像データがインターレース信号である場合は、上述したように、インターレース信号をＩ／Ｐ変換処理する際に画像輪郭部等で生じるちらつきノイズやジャギー等の偽信号が過強調されないように、入力画像データがインターレース信号である場合における画像データの強調変換度合いを、入力画像データがプログレッシブ信号である場合より小さくする必要がある。そのため、その強調変換の度合いを補正するために、演算部１２ｆでは信号種別演算式格納部１２ｅより読み出された演算式を用いて、温度センサ２０による温度検出データに対し所定の演算（ここでは、たとえば５℃分を加算）を施した上で、閾値判別部１２ａに出力する。なお、ここでの加算は、５℃に限らず、４℃以下又は６℃以上であってもよく、液晶表示パネル１７の光学応答特性に応じて任意に設定すればよい。
【０１４０】
これによって、入力画像データがインターレース信号である場合、温度センサ２０で検出された装置内温度が１０℃以下であれば、制御ＣＰＵ１２Ｆは強調変換部１４Ｆに対し、ＯＳテーブルメモリ（ＲＯＭ）１３１を選択して参照するように指示する。これによって、強調変換部１４ＦはＯＳテーブルメモリ（ＲＯＭ）１３１に格納されているＯＳパラメータを用いて、入力画像データの強調変換処理を行う。
【０１４１】
また、温度センサ２０で検出された装置内温度が１０℃より大きく且つ２０℃以下であれば、制御ＣＰＵ１２Ｆは強調変換部１４Ｆに対し、ＯＳテーブルメモリ（ＲＯＭ）１３２を選択して参照するように指示する。これによって、強調変換部１４ＦはＯＳテーブルメモリ（ＲＯＭ）１３２に格納されているＯＳパラメータを用いて、入力画像データの強調変換処理を行う。
【０１４２】
さらに、温度センサ２０で検出された装置内温度が２０℃より大きく且つ３０℃以下であれば、制御ＣＰＵ１２Ｆは強調変換部１４Ｆに対し、ＯＳテーブルメモリ（ＲＯＭ）１３３を選択して参照するように指示する。これによって、強調変換部１４ＦはＯＳテーブルメモリ（ＲＯＭ）１３３に格納されているＯＳパラメータを用いて、入力画像データの強調変換処理を行う。
【０１４３】
そしてまた、温度センサ２０で検出された装置内温度が３０℃より大きければ、制御ＣＰＵ１２Ｆは強調変換部１４Ｆに対し、ＯＳテーブルメモリ（ＲＯＭ）１３４を選択して参照するように指示する。これによって、強調変換部１４ＦはＯＳテーブルメモリ（ＲＯＭ）１３４に格納されているＯＳパラメータを用いて、入力画像データの強調変換処理を行う。
【０１４４】
このように、実施形態６では、温度センサ２０による温度検出データに所定の演算を施した上で、予め決められた所定の切換温度Ｔｈ１，Ｔｈ２，Ｔｈ３と比較し、ＯＳパラメータを切り換えるための切換制御信号を生成している。すなわち、入力画像データがプログレッシブ信号である場合と、入力画像データがインターレース信号である場合とで、参照するＯＳテーブルメモリ（ＲＯＭ）１３１〜１３４を切り換え選択する切換温度（装置内温度）を適宜可変するようにしたので、いずれの信号種別の入力画像データに対しても、ＯＳテーブルメモリ（ＲＯＭ）１３１〜１３４を共用して強調変換処理を施すことが可能であり、入力画像データの信号種別毎にＯＳテーブルメモリ（ＲＯＭ）を別個に設ける場合に比べ、メモリの記憶容量を抑制することができる。
【０１４５】
また、同一温度条件下において、入力画像データがインターレース信号である場合には、入力画像データがプログレッシブ信号である場合に用いるＯＳパラメータより小さい値のＯＳパラメータを用いて、画像データの強調変換を行うことが可能となるため、インターレース信号をＩ／Ｐ変換処理する際に画像輪郭部等で生じるちらつきノイズやジャギー等の偽信号が強調されて画質が劣化することを抑制することができる。
【０１４６】
なお、各温度範囲に対応した複数のＯＳパラメータを、それぞれ個別に設けられたＯＳテーブルメモリ（ＲＯＭ）１３１〜１３４に格納しているが、単一のＯＳテーブルメモリ（ＲＯＭ）の異なるテーブル領域に格納しておき、制御ＣＰＵ１２Ｆからの切換制御信号に応じて、参照するテーブル領域を適応的に切り換えることにより、ＯＳパラメータを切換選択して、強調変換データを求めるように構成してもよいことは言うまでもない。
【０１４７】
また、ＯＳテーブルメモリ（ＲＯＭ）１３１〜１３４には、上述したように、表示データ数が８ビットの２５６階調である場合、２５６の全ての階調に対するＯＳパラメータ（実測値）を持っていてもよいが、たとえば図１６に示したように、３２階調毎の９つの代表階調についての９×９のＯＳパラメータ（実測値）のみを記憶しておき、その他の階調に対する強調変換データは、上記実測値から線形補完等の演算で求めるように構成することで、ＯＳテーブルメモリ（ＲＯＭ）１３１〜１３４の記憶容量を抑制することができる。
（実施形態７）
図１３は図１０の制御ＣＰＵとして別の構成を備えた場合の実施形態７を示す図である。
【０１４８】
実施形態７における制御ＣＰＵ１２Ｇは、図１３に示すように、入力画像データの信号種別毎に決められた所定の切換温度（閾値温度）のデータが格納されている信号種別閾値温度データ格納部１２ｉと、入力画像データの信号種別に応じて、信号種別閾値温度データ格納部１２ｉから読み出された切換温度Ｔｈ１，Ｔｈ２，Ｔｈ３と、温度センサ２０による温度検出データとを比較する閾値判別部１２ｊと、この閾値判別部１２ｊによる比較結果に応じ、強調変換部１４Ｆに対してＯＳテーブルメモリ（ＲＯＭ）１３１〜１３４のいずれかを選択して参照させるための切換制御信号を生成する制御信号出力部１２ｂとを有している。
【０１４９】
このような構成では、入力画像データがプログレッシブ信号である場合は、温度センサ２０で検出された装置内温度が切換温度Ｔｈ１（＝１５℃）以下であれば、制御ＣＰＵ１２Ｇは強調変換部１４Ｆに対し、ＯＳテーブルメモリ（ＲＯＭ）１３１を選択して参照するように指示する。これによって、強調変換部１４ＦはＯＳテーブルメモリ（ＲＯＭ）１３１に格納されているＯＳパラメータを用いて、入力画像データの強調変換処理を行う。
【０１５０】
また、温度センサ２０で検出された装置内温度が切換温度Ｔｈ１（＝１５℃）より大きく且つ切換温度Ｔｈ２（＝２５℃）以下であれば、制御ＣＰＵ１２Ｇは強調変換部１４Ｆに対し、ＯＳテーブルメモリ（ＲＯＭ）１３２を選択して参照するように指示する。これによって、強調変換部１４ＦはＯＳテーブルメモリ（ＲＯＭ）１３２に格納されているＯＳパラメータを用いて、入力画像データの強調変換処理を行う。
【０１５１】
さらに、温度センサ２０で検出された装置内温度が切換温度Ｔｈ２（＝２５℃）より大きく且つ切換温度Ｔｈ３（＝３５℃）以下であれば、制御ＣＰＵ１２Ｇは強調変換部１４Ｆに対し、ＯＳテーブルメモリ（ＲＯＭ）１３３を選択して参照するように指示する。これによって、強調変換部１４ＦはＯＳテーブルメモリ（ＲＯＭ）１３３に格納されているＯＳパラメータを用いて、入力画像データの強調変換処理を行う。
【０１５２】
そしてまた、温度センサ２０で検出された装置内温度が切換温度Ｔｈ３（＝３５℃）より大きければ、制御ＣＰＵ１２Ｇは強調変換部１４Ｆに対し、ＯＳテーブルメモリ（ＲＯＭ）１３４を選択して参照するように指示する。これによって、強調変換部１４ＦはＯＳテーブルメモリ（ＲＯＭ）１３４に格納されているＯＳパラメータを用いて、入力画像データの強調変換処理を行う。
【０１５３】
一方、入力画像データがインターレース信号である場合は、上述したように、インターレース信号をＩ／Ｐ変換処理する際に画像輪郭部等で生じるちらつきノイズやジャギー等の偽信号が過強調されないように、同一条件下における画像データの強調変換度合いを、入力画像データがプログレッシブ信号である場合より小さくする必要がある。そのため、その強調変換の度合いを補正するために、入力画像データがインターレース信号である場合は、閾値判別部１２ｊでは信号種別閾値温度データ格納部１２ｉより読み出された切換温度Ｔｈ’１（＜Ｔｈ１），Ｔｈ’２（＜Ｔｈ２），Ｔｈ’３（＜Ｔｈ３）を用いて、温度センサ２０による温度検出データの比較判別を行い、その結果を制御信号出力部１２ｂに出力する。
【０１５４】
これによって、入力画像データがインターレース信号である場合は、温度センサ２０で検出された装置内温度がＴｈ’１（＝１０℃）以下であれば、制御ＣＰＵ１２Ｇは強調変換部１４Ｆに対し、ＯＳテーブルメモリ（ＲＯＭ）１３１を選択して参照するように指示する。これによって、強調変換部１４ＦはＯＳテーブルメモリ（ＲＯＭ）１３１に格納されているＯＳパラメータを用いて、入力画像データの強調変換処理を行う。
【０１５５】
また、温度センサ２０で検出された装置内温度がＴｈ’１（＝１０℃）より大きく且つ切換温度Ｔｈ’２（＝２０℃）以下であれば、制御ＣＰＵ１２Ｇは強調変換部１４Ｆに対し、ＯＳテーブルメモリ（ＲＯＭ）１３２を選択して参照するように指示する。これによって、強調変換部１４ＦはＯＳテーブルメモリ（ＲＯＭ）１３２に格納されているＯＳパラメータを用いて、入力画像データの強調変換処理を行う。
【０１５６】
さらに、温度センサ２０で検出された装置内温度がＴｈ’２（＝２０℃）より大きく且つ切換温度Ｔｈ’３（＝３０℃）以下であれば、制御ＣＰＵ１２Ｇは強調変換部１４Ｆに対し、ＯＳテーブルメモリ（ＲＯＭ）１３３を選択して参照するように指示する。これによって、強調変換部１４ＦはＯＳテーブルメモリ（ＲＯＭ）１３３に格納されているＯＳパラメータを用いて、入力画像データの強調変換処理を行う。
【０１５７】
そしてまた、温度センサ２０で検出された装置内温度がＴｈ’３（＝３０℃）より大きければ、制御ＣＰＵ１２Ｇは強調変換部１４Ｆに対し、ＯＳテーブルメモリ（ＲＯＭ）１３４を選択して参照するように指示する。これによって、強調変換部１４ＦはＯＳテーブルメモリ（ＲＯＭ）１３４に格納されているＯＳパラメータを用いて、入力画像データの強調変換処理を行う。
【０１５８】
このように、実施形態７では、入力画像データの信号種別毎に定められた切換温度（閾値温度）を用いて温度センサ２０による温度検出データの比較判別を行うことにより、参照すべきＯＳテーブルメモリ（ＲＯＭ）１３４を選択させるための切換制御信号を生成している。すなわち、入力画像データがプログレッシブ信号である場合と、入力画像データがインターレース信号である場合とで、参照するＯＳテーブルメモリ（ＲＯＭ）１３１〜１３４を切り換え選択する切換温度（装置内温度）を適宜可変するようにしたので、いずれの信号種別の入力画像データに対しても、ＯＳテーブルメモリ（ＲＯＭ）１３１〜１３４を共用して強調変換処理を施すことが可能であり、入力画像データの信号種別毎にＯＳテーブルメモリ（ＲＯＭ）を別個に設ける場合に比べ、メモリの記憶容量を抑制することができる。
【０１５９】
また、同一温度条件下において、入力画像データがインターレース信号である場合には、入力画像データがプログレッシブ信号である場合に用いるＯＳパラメータより小さい値のＯＳパラメータを用いて、画像データの強調変換を行うことが可能となるため、インターレース信号をＩ／Ｐ変換処理する際に画像輪郭部等で生じるちらつきノイズやジャギー等の偽信号が強調されて画質が劣化することを抑制することができる。
（実施形態８）
図１４は入力画像データがプログレッシブ信号の場合とインターレース信号の場合とで、一部のＯＳパラメータのみを共用した場合の実施形態８を示す図である。
【０１６０】
図１４に示すように、実施形態８では、入力画像データがプログレッシブ信号である場合及びインターレース信号である場合のいずれにおいても共用して参照されるＯＳテーブルメモリ（ＲＯＭ）１３ｃ〜１３ｅに加えて、入力画像データがプログレッシブ信号である場合に参照するＯＳテーブルメモリ（ＲＯＭ）１３ａと、入力画像データがインターレース信号である場合に参照するＯＳテーブルメモリ（ＲＯＭ）１３ｂとを設け、これらＯＳテーブルメモリ（ＲＯＭ）１３ａ〜１３ｅを、入力信号種別毎に定められる切換温度に従って切り換え参照し、画像データに強調変換を施す構成としている。
【０１６１】
ここで、それぞれの専用のＯＳテーブルメモリ（ＲＯＭ）１３ａ，１３ｂには、たとえば常温より大きい場合において、画像データの強調変換に用いるＯＳパラメータが格納されている。また、ＯＳテーブルメモリ（ＲＯＭ）１３ａ〜１３ｅを、信号種別毎に定められる切換温度に従って切り換え参照させる場合、図１１（又は図１３）で説明した制御ＣＰＵ１２Ｆ（又は１２Ｇ）からの切換制御信号によって行わせることができる。
【０１６２】
このような構成では、入力画像データがプログレッシブ信号である場合、温度センサ２０で検出された装置内温度が１５℃以下であれば、制御ＣＰＵ１２Ｆは強調変換部１４Ｆに対し、ＯＳテーブルメモリ（ＲＯＭ）１３ｃを選択して参照するように指示する。これによって、強調変換部１４ＦはＯＳテーブルメモリ（ＲＯＭ）１３ｃに格納されているＯＳパラメータを用いて、入力画像データの強調変換処理を行う。
【０１６３】
また、温度センサ２０で検出された装置内温度が１５℃より大きく且つ２５℃以下であれば、制御ＣＰＵ１２Ｆは強調変換部１４Ｆに対し、ＯＳテーブルメモリ（ＲＯＭ）１３ｄを選択して参照するように指示する。これによって、強調変換部１４ＦはＯＳテーブルメモリ（ＲＯＭ）１３ｄに格納されているＯＳパラメータを用いて、入力画像データの強調変換処理を行う。
【０１６４】
さらに、温度センサ２０で検出された装置内温度が２５℃より大きく且つ３５℃以下であれば、制御ＣＰＵ１２Ｆは強調変換部１４Ｆに対し、ＯＳテーブルメモリ（ＲＯＭ）１３ｅを選択して参照するように指示する。これによって、強調変換部１４ＦはＯＳテーブルメモリ（ＲＯＭ）１３ｅに格納されているＯＳパラメータを用いて、入力画像データの強調変換処理を行う。
【０１６５】
そしてまた、温度センサ２０で検出された装置内温度が３５℃より大きければ、制御ＣＰＵ１２Ｆは強調変換部１４Ｆに対し、ＯＳテーブルメモリ（ＲＯＭ）１３ａを選択して参照するように指示する。これによって、強調変換部１４ＦはＯＳテーブルメモリ（ＲＯＭ）１３ａに格納されているＯＳパラメータを用いて、入力画像データの強調変換処理を行う。
【０１６６】
一方、入力画像データがインターレース信号である場合は、温度センサ２０で検出された装置内温度が１０℃以下であれば、制御ＣＰＵ１２Ｆは強調変換部１４Ｆに対し、ＯＳテーブルメモリ（ＲＯＭ）１３ｃを選択して参照するように指示する。これによって、強調変換部１４ＦはＯＳテーブルメモリ（ＲＯＭ）１３ｃに格納されているＯＳパラメータを用いて、入力画像データの強調変換処理を行う。
【０１６７】
また、温度センサ２０で検出された装置内温度が１０℃より大きく且つ２０℃以下であれば、制御ＣＰＵ１２Ｆは強調変換部１４Ｆに対し、ＯＳテーブルメモリ（ＲＯＭ）１３ｄを選択して参照するように指示する。これによって、強調変換部１４ＦはＯＳテーブルメモリ（ＲＯＭ）１３ｄに格納されているＯＳパラメータを用いて、入力画像データの強調変換処理を行う。
【０１６８】
さらに、温度センサ２０で検出された装置内温度が２０℃より大きく且つ３０℃以下であれば、制御ＣＰＵ１２Ｆは強調変換部１４Ｆに対し、ＯＳテーブルメモリ（ＲＯＭ）１３ｅを選択して参照するように指示する。これによって、強調変換部１４ＦはＯＳテーブルメモリ（ＲＯＭ）１３ｅに格納されているＯＳパラメータを用いて、入力画像データの強調変換処理を行う。
【０１６９】
そしてまた、温度センサ２０で検出された装置内温度が３０℃より大きければ、制御ＣＰＵ１２Ｆは強調変換部１４Ｆに対し、ＯＳテーブルメモリ（ＲＯＭ）１３ｂを選択して参照するように指示する。これによって、強調変換部１４ＦはＯＳテーブルメモリ（ＲＯＭ）１３ｂに格納されているＯＳパラメータを用いて、入力画像データの強調変換処理を行う。
【０１７０】
このように、実施形態８では、入力画像データがプログレッシブ信号及びインターレース信号である場合のそれぞれに対して共用するＯＳテーブルメモリ（ＲＯＭ）１３ｃ〜１３ｅに加えて、入力画像データがプログレッシブ信号の場合に参照する専用のＯＳテーブルメモリ（ＲＯＭ）１３ａと、入力画像データがインターレース信号の場合に参照する専用のＯＳテーブルメモリ（ＲＯＭ）１３ｂとを設け、これらＯＳテーブルメモリ（ＲＯＭ）１３ａ〜１３ｅを、入力信号種別毎に定められる切換温度（装置内温度）に応じて切り換え参照し、画像データに対する強調変換を行う構成としたので、ＯＳテーブルメモリ（ＲＯＭ）１３ｃ〜１３ｅを共用して適切な強調変換処理を施すことが可能となる。
【０１７１】
なお、各信号種別及び各温度範囲に対応した複数のＯＳパラメータを、それぞれ個別に設けられたＯＳテーブルメモリ（ＲＯＭ）１３ａ〜１３ｅに格納しているが、単一のＯＳテーブルメモリ（ＲＯＭ）の異なるテーブル領域に格納しておき、制御ＣＰＵ１２Ｆ（又は１２Ｇ）からの切換制御信号に応じて、参照するテーブル領域を適応的に切り換えることにより、強調変換パラメータを切換選択して、強調変換データを求めるように構成してもよい。
【０１７２】
また、ＯＳテーブルメモリ（ＲＯＭ）１３ａ〜１３ｅには、上述したように、表示データ数が８ビットの２５６階調である場合、２５６の全ての階調に対するＯＳパラメータ（実測値）を持っていてもよいが、たとえば図１６に示したように、３２階調毎の９つの代表階調についての９×９のＯＳパラメータ（実測値）のみを記憶しておき、その他の階調に対する強調変換データは、上記実測値から線形補完等の演算で求めるように構成することで、ＯＳテーブルメモリ（ＲＯＭ）１３ａ〜１３ｅの記憶容量を抑制することができる。
【０１７３】
なお、上記各実施形態では、一例として、例えば、画像データの１フレーム（１コマ）の画像全体を、画像データの１フレーム期間（例えば、１６．７ｍｓｅｃ）に渡って書き込み走査する駆動方法、すなわち、１垂直期間（１フレームの期間）が１垂直表示期間と一致する駆動方法を液晶表示装置が採用した場合を例にして説明したが、これに限るものではない。例えば、１フレーム期間を画像を表示する期間（画像表示期間）と暗表示（例えば、黒表示）する期間（暗表示期間）とに分割する駆動方法を液晶表示装置が採用してもよい。
【０１７４】
また、上記各実施形態では、１フレーム前の入力画像データと現フレームの入力画像データとの組み合わせに応じた強調変換データを液晶コントローラ１６に出力する場合を例にして説明したが、これに限るものではない。例えば、１フレーム前の入力画像データだけではなく、１フレームよりも前の入力画像データ（例えば、２フレーム前の入力画像データなど）をも参照して、強調変換データを決定してもよい。いずれの場合であっても、少なくとも１フレーム前の入力画像データを参照して強調変換データを決定すれば、同様の効果が得られる。ただし、より以前の入力画像データを参照して強調変換データを決定するためには、より大きな記憶容量のフレームメモリが必要になる。したがって、記憶容量の削減が求められる場合には、上記各実施形態のように、各フレームの入力画像データのうち、１フレーム前の入力画像データと現フレームの入力画像データとのみを参照して、強調変換データを決定することが望まれる。
【０１７５】
さらに、上記各実施形態では、１フレーム前の入力画像データを参照して強調変換データを液晶コントローラ１６に出力しているが、実際に入力された、１フレーム前の入力画像データに代えて、１フレーム前の入力画像データの書き込みによって、液晶パネルの画素が実際に到達している階調レベルを予測し、当該予測値を、上記１フレーム前の画像データ（Previous Data ）として参照してもよい。なお、この場合であっても、到達階調予測のために、１フレーム前の入力画像データが参照される。いずれの場合であっても、少なくとも１フレーム前の入力画像データと現フレームの入力画像データとに基づいて、強調変換データを決定すれば、同様の効果が得られる。
【０１７６】
なお、上記各実施形態では、強調変換部（１４Ａ〜１４Ｆ）が、ＯＳテーブルメモリ（ＲＯＭ１３〜１３ｅ・１３１〜１３８）に格納されたＯＳパラメータ（強調変換パラメータ）を参照して強調変換する場合を例にして説明したが、これに限るものではない。例えば、強調変換部は、Ｍ番目のフレームの入力画像データ（Current Data）と、フレームメモリ１５に格納されたＭ−１番目のフレームの入力画像データ(Previous Data )とを変数とする２次元関数ｆ（Current Data,Previous Data）などの関数によって、液晶表示パネル（１７）の光学応答特性を補償する強調変換データを算出してもよい。
【０１７７】
また、上記各実施形態では、映像信号種別検出部（１０）、Ｉ／Ｐ変換部（１１）、制御ＣＰＵ（１２Ａ〜１２Ｇ）、強調変換部（１４Ａ〜１４Ｆ）、フレームメモリ（１５）がいずれもハードウェアの場合を例にして説明したが、コンピュータ（ＣＰＵ）などの演算手段が、図示しない記憶装置（メモリなど）に格納されたプログラムを実行して同様の動作を行うことによって、これらの部材を実現してもよい。当該プログラムは、例えば、当該プログラムを記録した記録媒体を配布したり、あるいは、有線または無線の伝送路など、種々の伝送路を介して伝送したりすることによって配布され、上記コンピュータに実行される。
【産業上の利用可能性】
【０１７８】
プログレッシブスキャンによって画像表示を行う液晶表示装置であればよく、また、このような表示装置を搭載しているパーソナルコンピュータ、テレビジョン受信機等の身近な機器に限らず、計測機器、医療機器、産業機器全般等にも適用可能である。
【図面の簡単な説明】
【０１７９】
【図１】本発明の液晶表示装置の実施形態１を説明するための図である。
【図２】図１のＯＳテーブルメモリ（ＲＯＭ）を参照して得られるＯＳパラメータと入力信号種別に応じて与えられる乗算係数とを用いて液晶表示パネルに供給する強調変換データを求める場合を説明するための図である。
【図３】入力画像データがプログレッシブ信号である場合に参照するＯＳテーブルメモリ（ＲＯＭ）と、入力画像データがインターレース信号である場合に参照するＯＳテーブルメモリ（ＲＯＭ）とを個別に設けた場合の実施形態２を示す図である。
【図４】図１の構成に温度センサを追加し、ＯＳテーブルメモリ（ＲＯＭ）を参照して得られるＯＳパラメータと、入力画像データの信号種別及び装置内温度に応じた乗算係数を用いて、画像データに対する強調変換処理を行わせる場合の実施形態３を示す図である。
【図５】図４のＯＳテーブルメモリ（ＲＯＭ）を入力画像データがプログレッシブ信号である場合に参照するＯＳテーブルメモリ（ＲＯＭ）と、入力画像データがインターレース信号である場合に参照するＯＳパラメータが格納されたＯＳテーブルメモリ（ＲＯＭ）とを個別に設けた構成とし、装置内温度に応じた乗算係数を用いて画像データに対する強調変換度合いを可変する場合の実施形態４を示す図である。
【図６】図５のＯＳテーブルメモリ（ＲＯＭ）を参照して得られるＯＳパラメータと温度センサによる温度検出データに応じた乗算係数とを用いて強調変換データを求める場合を説明するための図である。
【図７】入力画像データがプログレッシブ信号である場合に参照する、複数の温度範囲のそれぞれに対応したＯＳパラメータが格納されたＯＳテーブルメモリ（ＲＯＭ）と、入力画像データがインターレース信号である場合に参照する、複数の温度範囲のそれぞれに対応したＯＳパラメータが格納されたＯＳテーブルメモリ（ＲＯＭ）とを個別に設けた構成とした場合の実施形態５を示す図である。
【図８】図７の制御ＣＰＵの詳細を説明するための図である。
【図９】図７のＯＳテーブルメモリ（ＲＯＭ）を入力画像データの信号種別及び装置内温度に応じて切り換え選択する動作を説明するための図である。
【図１０】入力画像データがプログレッシブ信号である場合とインターレース信号である場合とでＯＳパラメータを共用した場合の実施形態６を示す図である。
【図１１】図１０の制御ＣＰＵの詳細を示す図である。
【図１２】図１０のＯＳテーブルメモリ（ＲＯＭ）を入力画像データの信号種別及び装置内温度に応じて切り換え選択する動作を説明するための図である。
【図１３】図１０の制御ＣＰＵとして別の構成を備えた場合の実施形態７を示す図である。
【図１４】入力画像データがプログレッシブ信号の場合とインターレース信号の場合とで、一部のＯＳパラメータのみを共用した場合の実施形態８を示す図である。
【図１５】従来の液晶表示装置の一構成例を示す図である。
【図１６】図１５のＯＳテーブルメモリ（ＲＯＭ）に格納されているＯＳパラメータの一例を示す図である。
【図１７】図１５の制御ＣＰＵの一構成例を示す図である。
【図１８】図１５のＯＳテーブルメモリ（ＲＯＭ）を装置内温度に応じて切り換え選択する動作を説明するための図である。
【図１９】図１５の液晶表示装置におけるオーバーシュート駆動を説明するための図である。
【図２０】従来のＩ／Ｐ変換処理を説明するための図である。
【図２１】図２０のＩ／Ｐ変換処理によって表示画像の輪郭位置がフレーム毎に変化してしまうことを説明するための図である。
【符号の説明】
【０１８０】
１０  映像信号種別検出部（信号種別検出手段）
１１  Ｉ／Ｐ変換部（Ｉ／Ｐ変換手段）
１２Ａ〜１２Ｇ  制御ＣＰＵ（制御手段）
１２ａ  閾値判別部
１２ｂ，１２ｃ  制御信号出力部
１２ｅ  信号種別演算式格納部
１２ｆ  演算部
１２ｉ  信号種別閾値温度データ格納部
１２ｊ  閾値判別部
１３，１３ａ〜ｅ，１３１〜１３８  ＯＳテーブルメモリ（ＲＯＭ）
１４Ａ〜１４Ｆ  強調変換部（強調変換手段）
１５  フレームメモリ
１６  液晶コントローラ
１７  液晶表示パネル
２０  温度センサ（温度検出手段）
【要約】
【課題】  液晶表示パネルの光学応答特性を補償するように、入力画像データに対する強調変換を行うとともに、インターレース方式の映像信号がＩ／Ｐ変換処理される際に画像輪郭部等で生じる不所望なフレーム毎の変化（偽信号）が強調されてしまうことを抑制することで、高画質の画像表示を行う。
【解決手段】  映像信号種別検出部１０によりインターレース信号が検出されると、Ｉ／Ｐ変換部１１によりインターレース信号がＩ／Ｐ変換処理された上で、強調変換部１４Ａに出力される。強調変換部１４Ａでは、画像データに対する強調変換を行うことにより、液晶表示パネルの光学応答特性を補償する。このとき、Ｉ／Ｐ変換処理された画像データに対する強調変換度合いを、プログレッシブ信号として入力された画像データに対する強調変換度合いより小さくし、不所望な偽信号が強調されて画質が劣化することを抑制する。
【選択図】  図１
【図１】
0003579046.tif 000002
【図２】
0003579046.tif 000003
【図３】
0003579046.tif 000004
【図４】
0003579046.tif 000005
【図５】
0003579046.tif 000006
【図６】
0003579046.tif 000007
【図７】
0003579046.tif 000008
【図８】
0003579046.tif 000009
【図９】
0003579046.tif 000010
【図１０】
0003579046.tif 000011
【図１１】
0003579046.tif 000012
【図１２】
0003579046.tif 000013
【図１３】
0003579046.tif 000014
【図１４】
0003579046.tif 000015
【図１５】
0003579046.tif 000016
【図１６】
0003579046.tif 000017
【図１７】
0003579046.tif 000018
【図１８】
0003579046.tif 000019
【図１９】
0003579046.tif 000020
【図２０】
0003579046.tif 000021
【図２１】
0003579046.tif 000022